(57)【特許請求の範囲】
【請求項１】
実行可能なデジタルコンテンツ、非実行デジタルコンテンツ、またはその両方をダウンロードするように構成されたメモリおよびプロセッサを備え、他のコンピューティングデバイスの少なくとも１つと通信するように構成された非破壊検査（ＮＤＴ）デバイスと、
前記ＮＤＴデバイスおよび前記他のコンピューティングデバイスの少なくとも１つと通信可能に結合されたクラウドコンピューティングシステムと、
前記ＮＤＴデバイス、前記他のコンピューティングデバイスの少なくとも１つ、またはその両方で実行され、使用され、または表示されるように構成されたコンテンツを含むデジタルコンテンツのリポジトリと、
を有するＮＤＴシステムであって、
前記デジタルコンテンツのリポジトリは、点検アプリケーションを含む複数の選択可能なデジタルコンテンツを含み、前記ＮＤＴデバイスまたは前記他のコンピューティングデバイスの少なくとも１つで実行され、使用され、または表示されるように構成され、
前記ＮＤＴシステムは、さらに、選択されたデジタルコンテンツを配布するように構成されたデジタルコンテンツストアを有して、前記ＮＤＴデバイスによる点検開始中に、前記点検のために選択されたデジタルコンテンツのカスタムパッケージを、前記ＮＤＴデバイスにダウンロードし、
ダウンロードされるデジタルコンテンツは、前記ＮＤＴデバイスにより前記点検を実行するように構成されたＮＤＴ点検アプリケーションを含み、
前記ＮＤＴデバイスは、点検の間、前記ダウンロードされるデジタルコンテンツを使用するように構成され、
前記ＮＤＴデバイスおよび前記他のコンピューティングデバイスの少なくとも１つは、選択されたデジタルコンテンツに基づく第１のライセンスを実施するように構成されたデジタル著作権管理（ＤＲＭ）構成要素を含み、
前記第１のライセンスは、前記デジタルコンテンツとともに配布され、伝送された前記デジタルコンテンツのランタイムライセンスを可能にする、
ＮＤＴシステム。
【請求項２】
前記第１のライセンスは、前記デジタルコンテンツの編集を可能にする、請求項１に記載のＮＤＴシステム。
【請求項３】
前記編集は、完全な編集または制限つきの編集を備える、請求項２に記載のＮＤＴシステム。
【請求項４】
前記第１のライセンスは、前記デジタルコンテンツ（３２０）の分配を可能にする、請求項１から３のいずれかに記載のＮＤＴシステム。
【請求項５】
前記分配は、ノーコピー分配、フルコピー分配、またはそれらの組み合わせを備える、請求項４に記載のＮＤＴシステム。
【請求項６】
前記プロセッサ（１５、１９、２３、９７，１０１，３１８）は、前記デジタルコンテンツ（３２０）をリストした仮想ソフトウェア資産リポジトリと、第１のＮＤＴデバイス（１２）をリストした仮想ハードウェア資産リポジトリとを維持するように構成され、顧客は、前記デジタルコンテンツ（３２０）の前記第１のＮＤＴデバイス（１２）への割り当て、前記ＮＤＴデバイス（１２）のアクティブ化、またはその組み合わせのために、前記仮想ソフトウェア資産リポジトリ、前記仮想ハードウェア資産リポジトリ、またはそれらの組み合わせを更新することができる、請求項１から５のいずれかに記載のＮＤＴシステム。
【請求項７】
前記ＮＤＴデバイス（１２）は、ボアスコープ（１４）、パンチルトズーム（ＰＴＺ）カメラ（１６）、超音波探傷検査デバイス（９４）、渦電流探傷検査デバイス（９２）、Ｘ線探傷検査デバイス（９６）、またはそれらの組み合わせを備える、請求項１から６のいずれかに記載のＮＤＴシステム。
【発明の詳細な説明】
【技術分野】
【０００１】
本明細書に開示される主題は、非破壊検査（ＮＤＴ）システムに関し、特に、ＮＤＴエコシステムのためのシステムおよび方法に関する。
【背景技術】
【０００２】
発電機器および設備、石油ガス機器および設備、航空機機器および設備、製造機器および設備、等といった、ある特定の機器および設備は、相互に関係のある複数のシステムおよび処理を含む。たとえば、発電プラントは、タービンシステムと、タービンシステムを動作させ、維持するための処理とを含み得る。同様に、石油ガス操業は、パイプラインを介して相互接続された、炭素質燃料回収システムと処理機器とを含み得る。同様に、航空機システムは、飛行機と、耐空性を維持し、整備支援を提供するのに有用な整備格納庫とを含み得る。機器の動作中、機器は劣化し、全体的な機器の効率に潜在的に影響を及ぼす腐食、摩耗、および裂傷、等といった望ましくない状態に遭遇し得る。非破壊点検技法または非破壊検査（ＮＤＴ）技法といった、ある特定の点検技法が、望ましくない機器の状態を検出するために使用され得る。
【０００３】
従来のＮＤＴシステムでは、データは、ポータブルメモリデバイス、紙を使用して、または電話で、他のＮＤＴオペレータまたは人員と共有され得る。そのようなものとして、ＮＤＴ人員の間でデータを共有するための時間の長さは、物理ポータブルメモリデバイスがその宛先へと物理的に発送されるスピードに大きく依存し得る。したがって、たとえば、さまざまなシステムおよび機器をより効率的に検査および点検するために、ＮＤＴシステムのデータ共有ケイパビリティを改善することが有益であろう。
【先行技術文献】
【特許文献】
【０００４】
【特許文献１】米国特許第６７７２３４０号明細書
【発明の概要】
【０００５】
当初特許請求された発明と範囲において対応するある特定の実施形態が、以下に要約される。これらの実施形態は、特許請求された発明の範囲を限定するように意図されたものではなく、むしろこれらの実施形態は、本発明の可能な形態の簡単な概要を提供するようにのみ意図されている。実際、本発明は、以下に説明される実施形態と同様であるかまたは異なり得る、さまざまな形態を包含し得る。
【０００６】
一実施形態において、非一時的なコンピュータ可読媒体は、プロセッサによって実行された場合に、プロセッサに、デジタルコンテンツのリポジトリを提供させ、デジタルコンテンツに基づいて第１のライセンスを作成させる、実行可能な命令を含み得る。命令はさらに、プロセッサに、第１のライセンスとデジタルコンテンツとを非破壊検査（ＮＤＴ）デバイスに送信させ、デジタルコンテンツは、第１のライセンスに基づいて、ＮＤＴデバイスにより実行されるか、使用されるか、または表示されるか、またはその組み合わせであるように構成される。
【０００７】
別の実施形態において、システムは、メモリとプロセッサとを備える非破壊検査（ＮＤＴ）デバイスを含み得、プロセッサは、実行可能なデジタルコンテンツ、非実行デジタルコンテンツ、またはそれらの組み合わせをダウンロードし、実行可能なデジタルコンテンツ、非実行コンテンツ、またはそれらの組み合わせの権利を管理するためにライセンスを使用するように構成される。
【０００８】
さらなる別の実施形態において、方法は、デジタルコンテンツのリポジトリを提供することを含み得る。方法はさらに、デジタルコンテンツに基づいてライセンスを作成することと、ライセンスとデジタルコンテンツとを非破壊検査（ＮＤＴ）デバイスに送信することとを含み得、デジタルコンテンツは、ライセンスに基づいて、ＮＤＴデバイスにより実行されるか、使用されるか、または表示されるように構成される。
【０００９】
本発明のこれらのおよび他の特徴、態様、および利点は、同一の符号が図面全体を通して同一のパーツを表す添付図面を参照しながら以下の詳細な説明を読むと、より良好に理解されるようになるであろう。
【図面の簡単な説明】
【００１０】
【図１】モバイルデバイスを含む、分散非破壊検査（ＮＤＴ）システムの実施形態を示すブロック図である。
【図２】図１の分散ＮＤＴシステムの実施形態のさらなる詳細を示すブロック図である。
【図３】図１のモバイルデバイスと「クラウド」とに通信可能に結合されたボアスコープシステム１４の実施形態を示す正面図である。
【図４】図１のモバイルデバイスに通信可能に結合されたパンチルトズーム（ＰＴＺ）カメラシステムの実施形態の説明図である。
【図５】分散ＮＤＴシステムを使用した、計画、点検、解析、報告、および点検データのようなデータの共有に有用な処理の実施形態を示すフローチャートである。
【図６】ワイヤレスコンジットによる情報フローの実施形態のブロック図である。
【図７】図１のＮＤＴ点検システムの遠隔制御に有用な情報のワイヤレスコンジットによる情報フローの実施形態のブロック図である。
【図８】ＮＤＴエコシステムの実施形態のブロック図である。
【図９】図８のＮＤＴエコシステムによって管理されるデジタルコンテンツの実施形態の説明図である。
【図１０】図８のＮＤＴエコシステムを使用してＮＤＴアイテムを購入するための処理の実施形態のフローチャートである。
【図１１】図８のＮＤＴエコシステムを使用してライセンスを追加または解除するための処理の実施形態のフローチャートである。
【図１２】図８のＮＤＴエコシステムを使用してＮＤＴ点検デバイスを同期させるための処理の実施形態のフローチャートである。
【図１３】図８のＮＤＴエコシステムを使用してＮＤＴ点検デバイスを管理するための処理の実施形態のフローチャートである。
【発明を実施するための形態】
【００１１】
１つ以上の特定の実施形態が以下に説明される。これらの実施形態の簡潔な説明を提供するために、実際の実装のすべての特徴が本明細書において説明されるわけではない。任意のそのような実際の実装の開発では、任意の工学プロジェクトまたは設計プロジェクトと同様に、ある実装と別の実装とで異なり得るシステム関連の制約およびビジネス関連の制約の遵守といった開発者の特定の目標を達成するために、実装固有の多数の決定がなされなくてはならない、ということが理解されるべきである。さらに、そのような開発努力は、複雑で時間のかかるものであるかもしれないが、それにもかかわらず、本開示の恩恵を有する当業者にとっては、設計、製作、および製造のルーチン業務であろう、ということが理解されるべきである。
【００１２】
本発明のさまざまな実施形態の要素を導入する際、「１つの（ａ）」、「１つの（ａｎ）」、「その（ｔｈｅ）」、および「前記（ｓａｉｄ）」といった冠詞は、要素が１つ以上存在することを意味するように意図される。「備える（ｃｏｍｐｒｉｓｉｎｇ）」、「含む（ｉｎｃｌｕｄｉｎｇ）」、および「有する（ｈａｖｉｎｇ）」といった用語は、包括的であるように意図され、列挙された要素以外の追加の要素が存在し得ることを意味する。
【００１３】
本開示の実施形態は、非破壊検査（ＮＤＴ）または点検システムを含む、さまざまな点検および検査技法に適用され得る。ＮＤＴシステムでは、ボアスコープ検査、溶接検査、遠隔目視検査、Ｘ線探傷検査、超音波探傷検査、渦電流探傷検査、等といったある特定の技法が、腐食、機器の摩耗および裂傷、亀裂、漏れ口、等を含むがこれらに限定されない、さまざまな状態を解析および検出するために使用され得る。本明細書に説明される技法は、向上したデータギャザリング、データ解析、データストレージ／アーカイブ、点検／検査工程、およびＮＤＴ共同作業技法を可能にする、ボアスコープ検査、遠隔目視検査（たとえば、遠隔で動作させられる車両を使用した点検）、Ｘ線探傷検査、超音波探傷検査、および／または渦電流探傷検査に適した、改善されたＮＤＴシステムを提供する。
【００１４】
本明細書に説明される改善されたＮＤＴシステムは、点検機器を、タブレット、スマートフォン、および拡張現実メガネのようなモバイルデバイスや、ノートブック、ラップトップ、ワークステーション、パーソナルコンピュータのようなコンピューティングデバイス、クラウドベースのＮＤＴエコシステム、クラウドアナリティクス、クラウドベースの共同作業およびワークフローシステム、分散コンピューティングシステム、エキスパートシステム、および／または知識ベースのシステムといった「クラウド」コンピューティングシステムに通信可能に結合するのに適した有線コンジットまたはワイヤレスコンジットを使用する点検機器を含み得る。実際に、本明細書に説明される技法は、向上したＮＤＴデータギャザリング、解析、およびデータ分配を提供し得るので、望ましくない状態の検出を改善し、整備アクティビティを向上させ、設備および機器の投資利益率（ＲＯＩ）を増大させる。
【００１５】
一実施形態では、タブレットが、Ｇｅｎｅｒａｌ  Ｅｌｅｃｔｒｉｃ，Ｃｏ．，ｏｆ  Ｓｃｈｅｎｅｃｔａｄｙ，Ｎｅｗ  Ｙｏｒｋから入手可能なＭＥＮＴＯＲ（登録商標）ＮＤＴ点検デバイスのような、ＮＤＴ点検デバイス（たとえば、ボアスコープ、可搬型のパンチルトズームカメラ、渦電流デバイス、Ｘ線探傷検査デバイス、超音波探傷検査デバイス）に通信可能に結合され、たとえば、向上したワイヤレスディスプレイケイパビリティ、遠隔制御、データアナリティクス、および／またはＮＤＴ点検デバイスへのデータ通信を提供するために使用され得る。他のモバイルデバイスが使用され得る一方で、しかしながら、タブレットが、より大きく、より高解像度のディスプレイ、よりパワフルなプロセッシングコア、増大したメモリ、および改善されたバッテリー寿命を提供することができる限りにおいて、タブレットの使用が適切である。タブレット（または他の同様のデバイス）を使用することはまた、利用可能なツールキットを使用したサードパーティによる開発を可能にする。たとえば、タブレットによってデータを実行することは、その同一のプラットフォームまたはオペレーティングシステム（ＯＳ）で開発しているサードパーティデベロッパーと情報を交換する門戸を開く。したがって、タブレットは、データの改善された視覚化を提供すること、点検デバイスの操作制御を改善すること、および協同的な共有を複数の外部システムおよびエンティティに拡張することといった、ある特定の問題に対処することができる。
【００１６】
以上のことに留意して、本開示は、ＮＤＴシステムから収集されたデータの共有、ＮＤＴシステムにおけるアプリケーションおよび／またはデータの制御、およびデータアーカイブ／ストレージに関する。一般的に、ＮＤＴシステムから発生させられたデータは、本明細書に開示される技法を使用して、さまざまな人々または人々のグループに自動で分配され得る。さらに、ＮＤＴシステムにおけるデバイスを監視および／または制御するために使用されるアプリケーションによって表示されるコンテンツが、ＮＤＴシステムにおけるデバイスを監視および制御するための仮想の協同的な環境を作成するために個人の間で共有され得る。
【００１７】
導入として、ここで図１を参照すると、図は、分散ＮＤＴシステム１０の実施形態のブロック図である。描かれている実施形態において、分散ＮＤＴシステム１０は、１つ以上のＮＤＴ点検デバイス１２を含み得る。ＮＤＴ点検デバイス１２は、少なくとも２つのカテゴリに分割され得る。図１に描かれた１つのカテゴリでは、ＮＤＴ点検デバイス１２は、さまざまな機器および環境を目視点検するのに適したデバイスを含み得る。以下において図２に関しより詳細に説明される別のカテゴリでは、ＮＤＴデバイス１２は、Ｘ線探傷検査モダリティ、渦電流探傷検査モダリティ、および／または超音波探傷検査モダリティといった、目視点検モダリティの代替例を提供するデバイスを含み得る。
【００１８】
描かれている図１の第１の例示的なカテゴリにおいて、ＮＤＴ点検デバイス１２は、１つ以上のプロセッサ１５とメモリ１７とを有するボアスコープ１４、および１つ以上のプロセッサ１９とメモリ２１とを有する可搬型のパンチルトズーム（ＰＴＺ）カメラ１６を含み得る。目視点検デバイスのこの第１のカテゴリにおいて、ボアスコープ１４およびＰＴＺカメラ１６は、たとえば、ターボ機械１８や、設備または現場２０を点検するために使用され得る。示されているように、ボアスコープ１４およびＰＴＺカメラ１６は、モバイルデバイス２２に通信可能に結合され得、モバイルデバイス２２もまた、１つ以上のプロセッサ２３とメモリ２５とを有する。モバイルデバイス２２は、たとえば、タブレット、携帯電話（たとえば、スマートフォン）、ノートブック、ラップトップ、または任意の他のモバイルコンピューティングデバイスを含み得る。しかしながら、タブレットが画面サイズ、重量、コンピューティングパワー、およびバッテリー寿命の間の良好なバランスを提供する限りにおいて、タブレットの使用が適切である。したがって、一実施形態では、モバイルデバイス２２は、Ｇｅｎｅｒａｌ  Ｅｌｅｃｔｒｉｃ，Ｃｏ．，ｏｆ  Ｓｃｈｅｎｅｃｔａｄｙ，Ｎｅｗ  Ｙｏｒｋから入手可能であり、タッチスクリーン入力を提供する、上述されたタブレットであり得る。モバイルデバイス２２は、さまざまなワイヤレスコンジットまたは有線コンジットにより、ボアスコープ１４および／またはＰＴＺカメラ１６のようなＮＤＴ点検デバイス１２に通信可能に結合され得る。たとえば、ワイヤレスコンジットは、ＷｉＦｉ（たとえば、電気電子技術者協会（ＩＥＥＥ）８０２．１１Ｘ）、セルラーコンジット（たとえば、高速パケットアクセス（ＨＳＰＡ）、ＨＳＰＡ＋、ロングタームエボリューション（ＬＴＥ）、ＷｉＭａｘ）、近距離無線通信（ＮＦＣ）、Ｂｌｕｅｔｏｏｔｈ（登録商標）、パーソナルエリアネットワーク（ＰＡＮ）、等を含み得る。ワイヤレスコンジットは、ＴＣＰ／ＩＰ、ＵＤＰ、ＳＣＴＰ、ソケットレイヤ、等といったさまざまな通信プロトコルを使用し得る。ある特定の実施形態において、ワイヤレスコンジットまたは有線コンジットは、セキュアソケットレイヤ（ＳＳＬ）、仮想プライベートネットワーク（ＶＰＮ）レイヤ、暗号化レイヤ、チャレンジ鍵認証レイヤ、トークン認証レイヤ、等といったセキュアレイヤを含み得る。有線コンジットは、プロプライエタリケーブル、ＲＪ４５ケーブル、同軸ケーブル、光ファイバーケーブル、等を含み得る。
【００１９】
加えて、またはあるいは、モバイルデバイス２２は、「クラウド」２４により、ボアスコープ１４および／またはＰＴＺカメラ１６のようなＮＤＴ点検デバイス１２に通信可能に結合され得る。実際、モバイルデバイス２２は、点検を受けようとする物理的場所とは遠隔の地理的場所を含む任意の地理的場所からＮＤＴ点検デバイス１２とインターフェース接続するために、ＨＴＴＰ、ＨＴＴＰＳ、ＴＣＰ／ＩＰ、サービス指向アーキテクチャ（ＳＯＡ）プロトコル（たとえば、簡易オブジェクトアクセスプロトコル（ＳＯＡＰ）、Ｗｅｂサービス記述言語（ＷＳＤＬ））を含むがこれに限定されない、クラウド２４コンピューティングおよび通信技法（たとえば、クラウドコンピューティングネットワーク）を使用し得る。さらに、一実施形態において、モバイルデバイス２２は、「ホットスポット」機能を提供し得、この機能では、モバイルデバイス２２が、ＮＤＴ点検デバイス１２をクラウド２４における他のシステムに接続するのに適したワイヤレスアクセスポイント（ＷＡＰ）機能を提供し得る。したがって、マルチパーティワークフロー、データギャザリング、およびデータ解析を提供することにより、共同作業が向上し得る。
【００２０】
たとえば、ボアスコープオペレータ２６が、ある場所でボアスコープ１４を物理的に操作し得る一方で、モバイルデバイスオペレータ２８が、モバイルデバイス２２を使用して、ボアスコープ１４にインターフェース接続し、遠隔制御技法により第２の場所でボアスコープ１４を物理的に操作し得る。第２の場所は、第１の場所に近接し得るか、または第１の場所と地理的に隔たり得る。同様に、カメラオペレータ３０が、第３の場所でＰＴＺカメラ１６を物理的に動作させ得、モバイルデバイスオペレータ２８が、モバイルデバイス２２を使用することにより、第４の場所でＰＴＺカメラ１６を遠隔制御し得る。第４の場所は、第３の場所に近接し得るか、または第３の場所と地理的に隔たり得る。オペレータ２６および３０によって行われるいずれかまたはすべての制御アクションは加えて、オペレータ２８によりモバイルデバイス２２を通じて行われ得る。加えて、オペレータ２８は、ボイスオーバーＩＰ（ＶＯＩＰ）、仮想ホワイトボード、テキストメッセージ、等といった技法を通じて、デバイス１４、１６、および２２を使用することにより、オペレータ２６および／または３０と通信し得る。オペレータ２８、オペレータ２６、およびオペレータ３０の間の遠隔共同作業技法を提供することにより、本明細書に説明される技法は、向上したワークフローを提供し、資源効率を上げることができる。実際、非破壊検査工程は、モバイルデバイス２２、ＮＤＴ点検デバイス１２、およびクラウド２４に結合された外部システムとの、クラウド２４の通信結合を活用し得る。
【００２１】
動作の１つのモードにおいて、モバイルデバイス２２は、たとえば、より大きな画面表示、よりパワフルなデータ処理、ならびに、以下においてより詳細に説明されるごとくの、モバイルデバイス２２によって提供されるさまざまなインターフェース技法を活用するために、ボアスコープオペレータ２６および／またはカメラオペレータ３０によって動作させられ得る。実際、モバイルデバイス２２は、デバイス１４および１６とともに、またはデバイス１４および１６と協力するよう、それぞれのオペレータ２６および３０により動作させられ得る。この向上したフレキシビリティは、人的資源を含む資源のより良好な利用と、改善された点検結果を提供する。
【００２２】
オペレータ２８によって制御されるにせよ、オペレータ２６によって制御されるにせよ、および／またはオペレータ３０によって制御されるにせよ、ボアスコープ１４および／またはＰＴＺカメラ１６は、広くさまざまな機器および設備を目視点検するために使用され得る。たとえば、ボアスコープ１４は、ターボ機械１８の複数の構成要素の照明と目視観察を提供するために、ターボ機械１８の複数のボアスコープポートおよび他の場所に挿入され得る。描かれている実施形態では、ターボ機械１８は、炭素質燃料を機械力に変換するのに適したガスタービンとして示されている。しかしながら、圧縮機、ポンプ、ターボエキスパンダ、風力タービン、ハイドロタービン、産業用機器、および／または住宅用機器を含む、他の機器タイプが点検され得る。ターボ機械１８（たとえば、ガスタービン）は、本明細書に説明されるＮＤＴ点検デバイス１２によって点検され得るさまざまな構成要素を含み得る。
【００２３】
以上のことに留意して、本明細書に開示される実施形態を使用することによって点検され得るターボ機械１８のある特定の構成要素を論じることが有益であり得る。たとえば、図１に描かれているターボ機械１８のある特定の構成要素は、腐食、侵食、亀裂、漏れ口、溶接の点検、等のために点検され得る。ターボ機械１８のような機械システムは、動作状態中に機械的応力および熱応力を経験し、それは、ある特定の構成要素の定期的な点検を必要とし得る。ターボ機械１８の動作中、天然ガスまたは合成ガスのような燃料が、燃焼器３６への１つ以上の燃料ノズル３２を経由してターボ機械１８に送られ得る。空気が、吸気部３８を経由してターボ機械１８に入り得、圧縮機３４によって圧縮され得る。圧縮機３４は、空気を圧縮する一連の段４０、４２、および４４を含み得る。各々の段は、回転して圧力を漸進的に上昇させ、圧縮された空気を提供する、静翼４６および羽根４８の１つ以上のセットを含み得る。羽根４８は、シャフト５２に接続された回転ホイール５０に取り付けられ得る。圧縮機３４からの圧縮された排気が、ディフューザ部５６を経由して圧縮機３４を出、燃焼器３６へと向けられて燃料と混合し得る。たとえば、燃料ノズル３２が、燃料と空気の混合物を、最適な燃焼、放出、燃料消費、およびパワー出力のための最適な比で、燃焼器３６に噴射し得る。ある特定の実施形態において、ターボ機械１８は、環状配列で配置された複数の燃焼器３６を含み得る。各々の燃焼器３６が、高温の燃焼ガスをタービン５４に向け得る。
【００２４】
描かれているように、タービン５４は、ケーシング７６によって取り囲まれた３つの別個の段６０、６２、および６４を含む。各々の段６０、６２、および６４は、それぞれのローターホイール６８、７０、および７２に結合された羽根または動翼のセット６６を含み、それぞれのローターホイール６８、７０、および７２は、シャフト７４に取り付けられる。高温の燃焼ガスがタービンの羽根６６の回転を引き起こすと、シャフト７４が回転して、圧縮機３４および任意の他の適切な負荷、たとえば、発電機を駆動する。最終的に、ターボ機械１８が、排出部８０を通じて燃焼ガスを拡散させ、排出する。ノズル３２、吸気口３８、圧縮機３４、翼４６、羽根４８、ホイール５０、シャフト５２、ディフューザ５６、段６０、６２、および６４、羽根６６、シャフト７４、ケーシング７６、および排気管８０のようなタービンの構成要素は、同構成要素を点検および整備するために、ＮＤＴ点検デバイス１２のような開示された実施形態を使用し得る。
【００２５】
加えて、またはあるいは、ＰＴＺカメラ１６が、ターボ機械１８の周囲または内部のさまざまな場所に配置され得、これらの場所の目視観察結果を入手するために使用され得る。ＰＴＺカメラ１６は加えて、所望の場所を照明するのに適した１つ以上のライトを含み得、さらに、到達しづらいさまざまなエリアにわたる観察結果を得るのに有用な、以下において図４に関しより詳細に説明されるズーム、パン、およびチルト技法を含み得る。ボアスコープ１４および／またはカメラ１６は加えて、石油ガス設備２０のような設備２０を点検するために使用され得る。石油ガス機器８４のようなさまざまな機器が、ボアスコープ１４および／またはＰＴＺカメラ１６を使用することにより、目視点検され得る。有利に、パイプまたはコンジット８６の内部、水中（または流体中）の場所８８、および観察しづらい場所、たとえば、カーブまたは湾曲部９０を有する場所、といった場所が、モバイルデバイス２２を使用することによりボアスコープ１４および／またはＰＴＺカメラ１６を通じて目視点検され得る。したがって、モバイルデバイスオペレータ２８は、機器１８、８４、および場所８６、８８、９０をより安全にかつ効率的に点検することができ、観察結果をリアルタイムまたはほぼリアルタイムで、点検エリアと地理的に隔たった場所と共有することができる。ファイバースコープ（たとえば、関節ファイバースコープ、非関節ファイバースコープ）や、ロボットパイプインスペクタおよびロボットクローラを含む遠隔操作無人探査機（ＲＯＶ）といった、他のＮＤＴ点検デバイス１２が本明細書に説明される実施形態を使用し得ることが理解されるべきである。
【００２６】
ここで図２を参照すると、図は、目視点検データの代替の点検データを提供可能であり得るＮＤＴ点検デバイス１２の第２のカテゴリを描いた、分散ＮＤＴシステム１０の実施形態のブロック図である。たとえば、ＮＤＴ点検デバイス１２の第２のカテゴリは、渦電流探傷検査デバイス９２、超音波欠陥検出器９４のような超音波探傷検査デバイス、およびデジタルラジオグラフィデバイス９６のようなＸ線探傷検査デバイスを含み得る。渦電流探傷検査デバイス９２は、１つ以上のプロセッサ９３とメモリ９５とを含み得る。同様に、超音波欠陥検出器９４は、１つ以上のプロセッサ９７とメモリ９９とを含み得る。同様に、デジタルラジオグラフィデバイス９６は、１つ以上のプロセッサ１０１とメモリ１０３とを含み得る。動作において、渦電流探傷検査デバイス９２は、渦電流オペレータ９８によって動作させられ得、超音波欠陥検出器９４は、超音波デバイスオペレータ１００によって動作させられ得、デジタルラジオグラフィデバイス９６は、ラジオグラフィオペレータ１０２によって動作させられ得る。
【００２７】
描かれているように、渦電流探傷検査デバイス９２、超音波欠陥検出器９４、およびデジタルラジオグラフィデバイス９６は、図１に関し上述されたコンジットを含む有線コンジットまたはワイヤレスコンジットを使用することにより、モバイルデバイス２２に通信可能に結合され得る。加えて、またはあるいは、デバイス９２、９４、および９６は、クラウド２４を使用することによりモバイルデバイス２２に結合され得、たとえば、渦電流探傷検査デバイス９２が、セルラー「ホットスポット」に接続され、このホットスポットを使用して渦電流探傷検査および解析における１人以上の専門家に接続することができる。加えて、またはあるいは、ＮＤＴデバイス１２は、たとえば、セルネットワークを通じた通信に適したセルラー技術を含み得る。したがって、モバイルデバイスオペレータ２８は、モバイルデバイス２２を使用することによりデバイス９２、９４、および９６の動作のさまざまな態様を遠隔制御することができ、本明細書においてより詳細に説明されるように、データアナリティクス、専門家の支援、等を提供する、音声（たとえばボイスオーバーＩＰ（ＶＯＩＰ））、データ共有（たとえば、ホワイトボード）を通じて、オペレータ９８、１００、および１０２と共同作業し得る。
【００２８】
したがって、Ｘ線観察モダリティ、超音波観察モダリティ、および／または渦電流観察モダリティを用いて、航空機システム１０４および設備１０６のようなさまざまな機器の目視観察を向上させることが可能であり得る。たとえば、パイプ１０８の内部および壁が、腐食および／または侵食について点検され得る。同様に、パイプ１０８の内部の障害物または望ましくない発生物が、デバイス９２、９４、および／または９６を使用することにより検出され得る。同様に、ある特定の鉄材料または非鉄材料１１２の内部に設けられたひびまたは亀裂１１０が観察され得る。加えて、構成要素１１６の内部に挿入された部品１１４の配置および生存性が確認され得る。実際、本明細書に説明される技法を使用することにより、機器および構成要素１０４、１０８、１１２、および１１６の改善された点検が提供され得る。たとえば、モバイルデバイス２２が、デバイス１４、１６、９２、９４、および９６とインターフェース接続し、デバイス１４、１６、９２、９４、および９６の遠隔制御を提供するために使用され得る。
【００２９】
図３は、モバイルデバイス２２とクラウド２４とに結合されたボアスコープ１４の正面図である。したがって、ボアスコープ１４は、クラウド２４に接続されたまたはクラウド２４の内部の任意の数のデバイスにデータを提供し得る。上述されたように、モバイルデバイス２２が、ボアスコープ１４からのデータの受信、ボアスコープ１４の遠隔制御、またはその組み合わせのために使用され得る。実際、本明細書に説明される技法は、たとえば、画像、映像、およびセンサ計測値、たとえば、温度、圧力、流量、クリアランス（たとえば、固定の構成要素と回転する構成要素との間の計測値）、および距離計測値を含むがこれに限定されない、ボアスコープ１４からモバイルデバイス２２へのさまざまなデータの通信を可能にする。同様に、モバイルデバイス２２は、以下においてより詳細に説明されるように、制御命令、再プログラミング命令、構成命令、等を通信し得る。
【００３０】
描かれているように、ボアスコープ１４は、ターボ機械１８、機器８４、パイプまたはコンジット８６の内部、水中の場所８８、カーブまたは湾曲部９０、航空機システム１０４の内部または外部のさまざまな場所、パイプ１０８の内部、等といった、さまざまな場所への挿入に適した挿入管１１８を含む。挿入管１１８は、ヘッドエンド部１２０、関節部１２２、およびコンジット部１２４を含み得る。描かれている実施形態において、ヘッドエンド部１２０は、カメラ１２６、１つ以上のライト１２８（たとえば、ＬＥＤ）、およびセンサ１３０を含み得る。上述されたように、ボアスコープのカメラ１２６は、点検に適した画像および映像を提供し得る。ライト１２８は、ヘッドエンド１２０が光の弱い場所または光のない場所に配置された場合に照明を提供するために使用され得る。他の実施形態では、光ファイバーが、光を供給源からボアスコープ１４の先端部１３６へと伝えるために使用され得る。光源は、アーク灯、ハンドセットにおけるＬＥＤ、プローブの先端部１３６に送られるプローブポッドにおけるＬＥＤ、等を含み得る。
【００３１】
使用中、関節部１２２は、たとえば、モバイルデバイス２２、および／またはボアスコープ１４に設けられた物理ジョイスティック１３１によって、制御され得る。関節部１２２は、さまざまな次元で操縦されるかまたは「湾曲」し得る。たとえば、関節部１２２は、描かれているＸＹＺ軸１３３のＸ−Ｙ平面、Ｘ−Ｚ平面、および／またはＹ−Ｚ平面におけるヘッドエンド１２０の移動を可能にし得る。実際、物理ジョイスティック１３１および／またはモバイルデバイス２２の両者が、ヘッドエンド１２０を描かれている角度αのようなさまざまな角度に配置するのに適した制御アクションを提供するために、単独または組み合わせで使用され得る。このように、ボアスコープのヘッドエンド１２０が、所望の場所を目視点検するために位置決めされ得る。カメラ１２６が続いて、たとえば、映像１３４を取り込み得、映像１３４が、ボアスコープ１４の画面１３５およびモバイルデバイス２２の画面１３７に表示され得、ボアスコープ１４および／またはモバイルデバイス２２によって記録され得る。一実施形態において、画面１３５および１３７は、キャパシタンス法、抵抗法、赤外線グリッド法、等を使用してスタイラスおよび／または１本以上の人間の手指のタッチを検出する、マルチタッチスクリーンであり得る。加えて、またはあるいは、画像および映像１３４は、クラウド２４に送信され得る。
【００３２】
センサ１３０のデータを含むがこれに限定されない他のデータが加えて、ボアスコープ１４により通信および／または記録され得る。センサ１３０のデータは、温度データ、距離データ、クリアランスデータ（たとえば、回転する構成要素と固定の構成要素との間の距離）、流量データ、等を含み得る。ある特定の実施形態において、ボアスコープ１４は、複数の交換先端部１３６を含み得る。たとえば、交換先端部１３６は、スネアのような回収先端部、磁気先端部、グリッパー先端部、等を含み得る。交換先端部１３６は加えて、ワイヤブラシ、ワイヤカッター、等といった、掃除具および障害物除去具を含み得る。先端部１３６は加えて、焦点距離、ステレオスコピックビュー、三次元（３Ｄ）フェーズビュー、シャドービュー、等といった異なる光学特性を有する先端部を含み得る。加えて、またはあるいは、ヘッドエンド１２０は、取り外し可能かつ交換可能なヘッドエンド１２０を含み得る。したがって、さまざまな直径の複数のヘッドエンド１２０が提供され得、挿入管１１８は、約１ミリメートルから１０ミリメートルまたはそれ以上の開口を有する複数の場所に配置され得る。実際、広くさまざまな機器および設備が点検され得、データがモバイルデバイス２２および／またはクラウド２４を通じて共有され得る。
【００３３】
図４は、モバイルデバイス２２とクラウド２４とに通信可能に結合された可搬型のＰＴＺカメラ１６の実施形態の斜視図である。上述されているように、モバイルデバイス２２および／またはクラウド２４は、ＰＴＺカメラ１６を遠隔操作してＰＴＺカメラ１６を位置決めし、所望の機器および場所を見ることができる。描かれている例において、ＰＴＺカメラ１６は、チルトされ、Ｙ軸の周りを回転させられ得る。たとえば、ＰＴＺカメラ１６は、約０°〜１８０°、０°〜２７０°、０°〜３６０°、またはそれ以上の角度βだけ、Ｙ軸の周りを回転させられ得る。同様に、ＰＴＺカメラ１６は、たとえば、Ｙ−Ｘ平面について、Ｙ軸に対し約０°〜１００°、０°〜１２０°、０°〜１５０°、またはそれ以上の角度γだけ、チルトされ得る。ライト１３８も同様に、たとえば、アクティブであるように、または非アクティブ化するように、および照明のレベル（たとえば、ルクス）を所望の値に増減させるように、制御され得る。ある特定の対象物までの距離を計測するのに適したレーザーレンジファインダのようなセンサ１４０もまた、ＰＴＺカメラ１６に搭載され得る。ロングレンジ温度センサ（たとえば、赤外線温度センサ）、圧力センサ、流量センサ、クリアランスセンサ、等を含む他のセンサ１４０が使用され得る。
【００３４】
ＰＴＺカメラ１６は、たとえば、シャフト１４２を使用することにより、所望の場所に運ばれ得る。シャフト１４２は、たとえば、場所８６、１０８の内部で、水中８８で、危険な（たとえば、危険物の）場所へ、といったようにカメラを移動させること、カメラを位置決めすることを、カメラオペレータ３０に可能にさせる。加えて、シャフト１４２は、シャフト１４２を永久的または半永久的なマウント上に搭載することによってＰＴＺカメラ１６をより永久的に固定するために使用され得る。このように、ＰＴＺカメラ１６は、所望の場所に運ばれることおよび／または固定されることができる。ＰＴＺカメラ１６は続いて、たとえば、ワイヤレス技法を使用することにより、画像データ、映像データ、センサ１４０のデータ、等をモバイルデバイス２２および／またはクラウド２４に送信し得る。したがって、ＰＴＺカメラ１６から受信されたデータが、所望の機器および設備についての動作の状態および適性を決定するために遠隔で解析および使用され得る。実際、本明細書に説明される技法は、以下において図５に関しより詳細に説明されるように、上述されたデバイス１２、１４、１６、２２、９２、９４、９６、およびクラウド２４を使用することによる、計画、点検、解析、および／またはさまざまなデータの共有に適した、広い範囲にわたる点検および整備工程を提供し得る。
【００３５】
図５は、上述したデバイス１２、１４、１６、２２、９２、９４、９６、およびクラウド２４を使用することによる、計画、点検、解析、および／またはさまざまなデータの共有に適した処理１５０の実施形態のフローチャートである。実際、本明細書に説明される技法は、デバイス１２、１４、１６、２２、９２、９４、９６を使用して、描かれている処理１５０のような処理を可能にし、さまざまな機器をより効率的に支援および整備することができる。ある特定の実施形態において、処理１５０または処理１５０の一部は、メモリ１７、２１、２５、９５、９９、１０３のようなメモリに記憶された非一時的なコンピュータ可読媒体に含まれ得、プロセッサ１５、１９、２３、９３、９７、１０１のような１つ以上のプロセッサによって実行可能であり得る。
【００３６】
一例において、処理１５０は、点検および整備アクティビティを計画し得る（ブロック１５２）。ターボ機械１８のフリート、機器のユーザ（たとえば、航空機１０４のサービス会社）、および／または機器の製造業者から収集されたフリートデータ（たとえば、燃料組成物データ、流量データ、温度データ、固定の構成要素と回転する構成要素との間のクリアランスデータ、振動データ、速度データ、およびより一般的には、センサデータ）のような、デバイス１２、１４、１６、２２、９２、９４、９６、等を使用することによって収集されたデータが、機械のための整備および点検アクティビティ、より効率的な点検スケジュールを計画したり（ブロック１５２）、より詳細な点検のためにある特定のエリアにフラグを立てたり、といったことのために使用され得る。処理１５０は続いて、所望の設備および機器（たとえば、ターボ機械１８）のシングルモード点検またはマルチモーダル点検（ブロック１５４）の使用を可能にし得る。上述されているように、点検（ブロック１５４）は、ＮＤＴ点検デバイス１２（たとえば、ボアスコープ１４、ＰＴＺカメラ１６、渦電流探傷検査デバイス９２、超音波欠陥検出器９４、デジタルラジオグラフィデバイス９６）のいずれか１つ以上を使用して、１つ以上の点検モード（たとえば、目視、超音波、渦電流、Ｘ線）を提供し得る。描かれている実施形態では、モバイルデバイス２２が、ＮＤＴデバイス１２を遠隔制御し、ＮＤＴ点検デバイス１２によって通信されたデータを解析し、本明細書においてより詳細に説明されるＮＤＴ点検デバイス１２に含まれていない追加の機能を提供し、ＮＤＴ点検デバイス１２からのデータを記録し、たとえば特にメニュー駆動型またはメニュー指向点検（ＭＤＩ）技法を使用することによる、点検（ブロック１５４）を誘導するために使用され得る。
【００３７】
点検（ブロック１５４）の結果が続いて、たとえば、ＮＤＴデバイス１２を使用すること、点検データをクラウド２４に送信すること、モバイルデバイス２２を使用すること、またはその組み合わせにより、解析され得る（ブロック１５６）。解析は、設備および／または機器の残りの寿命、摩耗および裂傷、腐食、侵食、等を決定するのに有用な技術解析を含み得る。解析は加えて、より効率的な部品交換スケジュール、整備スケジュール、機器利用スケジュール、人員使用スケジュール、新たな点検スケジュール、等を提供するために使用される、オペレーションズリサーチ（ＯＲ）解析を含み得る。解析（ブロック１５６）が続いて報告され得（ブロック１５８）、クラウド２４においてまたはクラウド２４を使用することにより作成された報告を含み、行われた点検および解析と得られた結果とを詳述する、１つ以上の報告１５９を結果として生じる。報告１５９が続いて、たとえば、クラウド２４、モバイルデバイス２２、およびワークフロー共有技法のような他の技法を使用することにより、共有され得る（ブロック１６０）。一実施形態において、処理１５０は反復し得るので、処理１５０は、報告１５９の共有（ブロック１６０）の後、計画（ブロック１５２）に戻って反復し得る。反復処理１５０として、解析（ブロック１５６）および報告（ブロック１５８）は、計画（ブロック１５２）を知らせ得る。本明細書に説明されるデバイス（たとえば、１２、１４、１６、２２、９２、９４、９６）を使用した、計画、点検、解析、報告、データの共有に有用な実施形態を提供することにより、本明細書に説明される技法は、設備２０、１０６および機器１８、１０４のより効率的な点検および整備を可能にすることができる。実際、以下において図６に関しより詳細に説明されるように、複数のカテゴリのデータの転送が提供され得る。
【００３８】
図６は、ＮＤＴ点検デバイス１２（たとえば、デバイス１４、１６、９２、９４、９６）に端を発し、モバイルデバイス２２および／またはクラウド２４に送信される、さまざまなデータカテゴリの流れの実施形態を描いたデータ流れ図である。上述されているように、ＮＤＴ点検デバイス１２は、ワイヤレスコンジット１６２を使用してデータを送信し得る。一実施形態において、ワイヤレスコンジット１６２は、ＷｉＦｉ（たとえば、８０２．１１Ｘ）、セルラーコンジット（たとえば、ＨＳＰＡ、ＨＳＰＡ＋、ＬＴＥ、ＷｉＭａｘ）、ＮＦＣ、Ｂｌｕｅｔｏｏｔｈ（登録商標）、ＰＡＮ、等を含み得る。ワイヤレスコンジット１６２は、ＴＣＰ／ＩＰ、ＵＤＰ、ＳＣＴＰ、ソケットレイヤ、等といったさまざまな通信プロトコルを使用し得る。ある特定の実施形態において、ワイヤレスコンジット１６２は、ＳＳＬ、ＶＰＮレイヤ、暗号化レイヤ、チャレンジ鍵認証レイヤ、トークン認証レイヤ、等といったセキュアレイヤを含み得る。したがって、許可データ１６４が、モバイルデバイス２２および／またはクラウド２４へのＮＤＴ点検デバイス１２のペアリングまたはそうでなければ許可に適した、任意の数の許可情報またはログイン情報を提供するために使用され得る。加えて、ワイヤレスコンジット１６２は、たとえば、現在利用可能な帯域幅およびレイテンシーに依存して、データを動的に圧縮し得る。そして、モバイルデバイス２２が、データを解凍し、表示し得る。圧縮／展開技法は、Ｈ．２６１、Ｈ．２６３、Ｈ．２６４、ムービングピクチャエクスパーツグループ（ＭＰＥＧ）、ＭＰＥＧ−１、ＭＰＥＧ−２、ＭＰＥＧ−３、ＭＰＥＧ−４、ＤｉｖＸ、等を含み得る。
【００３９】
ある特定のモダリティ（たとえば、目視モダリティ）では、画像および映像が、ＮＤＴ点検デバイス１２の一部または全部を使用することにより通信され得る。他のモダリティもまた、それらのそれぞれの画面に関連するかまたは含まれる、映像、センサデータ、等を送り得る。ＮＤＴ点検デバイス１２は、画像の取り込みに加えて、ある特定のデータを画像上にオーバーレイし、より多くの情報ビューを結果として生じ得る。たとえば、ボアスコープカメラ１２６をより精確に位置決めするようオペレータ２６を誘導するために、挿入中のボアスコープ先端部の配置の近似を示すボアスコープ先端部マップが映像にオーバーレイされ得る。オーバーレイ先端部マップは、４つの象限を有するグリッドを含み得、先端部１３６の配置が、４つの象限の中の任意の部分または位置にドットとして表示され得る。以下においてより詳細に説明されるように、計測値オーバーレイ、メニューオーバーレイ、注釈オーバーレイ、および対象物識別オーバーレイを含む、さまざまなオーバーレイが提供され得る。映像１３４のような画像および映像データが続いて、一般的には画像および映像データの上に表示されるオーバーレイとともに、表示され得る。
【００４０】
一実施形態において、オーバーレイ、画像、および映像データは、画面１３５から「スクリーンスクレイピング」され、スクリーンスクレイピングデータ１６６として通信され得る。スクリーンスクレイピングデータ１６６が続いて、モバイルデバイス２２、またはクラウド２４に通信可能に結合された他の表示デバイス上で表示され得る。有利に、スクリーンスクレイピングデータ１６６は、より容易に表示され得る。実際、画素が画像または映像とオーバーレイとの両方を同一フレーム中に含み得るので、モバイルデバイス２２は単に上記画素を表示するだけでよい。しかしながら、スクリーンスクレイピングデータを提供することはオーバーレイと画像の両方をマージし得るので、２つ（またはそれ以上）のデータストリームに分離することが有益であり得る。たとえば、別個のデータストリーム（たとえば、画像または映像ストリーム、オーバーレイストリーム）が、ほぼ同時に送信され得るので、より高速のデータ通信が提供される。加えて、データストリームが別個に解析され得るので、データの点検と解析が改善される。
【００４１】
したがって、一実施形態では、画像データとオーバーレイが、２つ以上のデータストリーム１６８および１７０に分離され得る。データストリーム１６８がオーバーレイのみを含み得る一方で、データストリーム１７０は、画像または映像を含み得る。一実施形態において、画像または映像１７０は、同期信号１７２を使用することにより、オーバーレイ１６８と同期させられ得る。たとえば、同期信号は、データストリーム１７０のフレームをオーバーレイストリーム１６８に含まれる１つ以上のデータアイテムとマッチさせるのに適したタイミングデータを含み得る。さらなる別の実施形態では、同期データ１７２のデータは使用されないことができる。その代わりに、各々のフレームまたは画像１７０が一意のＩＤを含み得、この一意のＩＤが、オーバーレイデータ１６８の１つ以上とマッチさせられ、オーバーレイデータ１６８と画像データ１７０を共に表示するために使用され得る。
【００４２】
オーバーレイデータ１６８は、先端部マップオーバーレイを含み得る。たとえば、４つの四角形を有するグリッド（たとえば、象限グリッド）が、先端部１３６の位置を表すドットまたは円とともに表示され得る。この先端部マップはかくして、先端部１３６がどのように対象物の内部に挿入されているかを表し得る。第１象限（右上）は、先端部１３６が対象物を軸方向に見下ろす右上の角に挿入されていることを表し得、第２象限（左上）は、先端部１３６が軸方向に見下ろす左上の角に挿入されていることを表し得、第３象限（左下）は、先端部１３６が左下の角に挿入されていることを表し得、第４象限（右下）は、先端部１３６が右下の角に挿入されていることを表し得る。したがって、ボアスコープオペレータ２６は、先端部１３６の挿入をより容易に誘導することができる。一実施形態において、先端部マップは、ｘ／ｙサーボ位置を使用して先端部１３６の位置を示し得る。たとえば、もしプローブが平面上に横たえられていたとしたら、物理ジョイスティックを「上」に押すことが、プローブのヘッドが上に移動するだけでなく、先端部マップが、プローブが上の位置にあることを示す、という結果を生じるであろう。これは、資産（たとえば、ガスタービン）の内部でプローブ自体が回転しながらも、先端部マップはこの理解を有し得ないので、すべて相対的なものである。
【００４３】
オーバーレイデータ１６８はまた、計測値オーバーレイを含み得る。たとえば、長さ、ポイントツーライン、深さ、面積、マルチセグメントライン、距離、斜め、およびサークルゲージのような計測値が、１つ以上のカーソルの十字（たとえば、「＋」）を画像の上にオーバーレイすることをユーザに可能にさせることにより提供され得る。一実施形態では、３Ｄ位相計測、ステレオスコピック計測を含む、および／または対象物上に影を投射することによる、対象物の内部の計測に適した、ステレオプローブ計測先端部１３６またはシャドープローブ計測先端部１３６が、提供され得る。複数のカーソルアイコン（たとえば、カーソルの十字）を画像上に置くことにより、計測値がステレオスコピック技法を使用して導出され得る。たとえば、２つのカーソルアイコンを置くことは、線形的な二地点間計測値（たとえば、長さ）を提供し得る。３つのカーソルアイコンを置くことは、点から線までの垂直距離（たとえば、ポイントツーライン）を提供し得る。４つのカーソルアイコンを置くことは、（３つのカーソルを使用することにより導出された）表面とその表面の上または下の点（４つ目のカーソル）との間の垂直距離（たとえば、深さ）を提供し得る。そして、特徴または欠陥の周りに３つ以上のカーソルを置くことは、カーソルの内部に含まれる表面の近似面積を付与し得る。３つ以上のカーソルを置くことはまた、各々のカーソルに続くマルチセグメントラインの長さを可能にし得る。
【００４４】
同様に、影を投射することにより、計測値が、照明と結果として生じる影とに基づいて導出され得る。したがって、計測エリアにわたって影を位置決めし、そして、所望の計測値の最も離れている点のところの影の可能な限り近くに２つのカーソルを置くことは、それらの点の間の距離の導出を結果として生じ得る。計測エリアにわたって影を置くこと、続いて、水平な影のほぼ中心までの所望の計測エリアのエッジ（たとえば、照明されたエッジ）にカーソルを置くことは、斜め計測値を結果として生じ得、そうでなければ、プローブのビューに対し垂直でない表面上の線形的な（二地点間）計測値として定義され得る。これは、垂直な影が得られることができない場合に有用であり得る。
【００４５】
同様に、計測エリアにわたって影を位置決めすること、続いて、高くなった表面上に１つのカーソルを置き、くぼんだ表面上に次のカーソルを置くことは、深さ、すなわち、表面とその表面の上または下の点との間の距離の導出を結果として生じ得る。計測エリアの近くに影を位置決めすること、続いて、影の近くかつ欠陥の上に円（たとえば、サークルゲージとも呼ばれる、ユーザ選択可能な直径の円のカーソル）を置くことはまた、欠陥の近似直径、円周、および／または面積を導出し得る。３Ｄ位相計測値は、単一のプローブ先端部１３６を使用して３Ｄ表面スキャンを提供することにより得られることができ、先端部の取り替えは使用されないことができる。事実上、３Ｄ位相計測は、測定値を取り込むためにプローブ先端部を取り替える必要を無くし、点検工程を能率化することにより、「オンデマンド」でより精確な計測を提供することができる。
【００４６】
オーバーレイデータ１６８はまた、注釈データを含み得る。たとえば、テキストおよび図形（たとえば、矢印のポインタ、十字、幾何学形状）が、「表面亀裂」のようなある特定の特徴に注釈をつけるために画像の上にオーバーレイされ得る。加えて、音声が、ＮＤＴ点検デバイス１２によって取り込まれ、音声オーバーレイとして提供され得る。たとえば、声の注釈、点検を受けている機器の音、等が、画像または映像に音声としてオーバーレイされ得る。モバイルデバイス２２および／またはクラウド２４によって受信されたオーバーレイデータ１６８は続いて、さまざまな技法によってレンダリングされ得る。たとえば、ＨＴＭＬ５または他のマークアップ言語が、オーバーレイデータ１６８を表示するために使用され得る。一実施形態において、モバイルデバイス２２および／またはクラウド２４は、ＮＤＴデバイス１２によって提供される第２のユーザインターフェースとは異なる第１のユーザインターフェースを提供し得る。したがって、オーバーレイデータ１６８は、単純化され、基礎情報を送るのみであり得る。たとえば、先端部マップのケースでは、オーバーレイデータ１６８は単に、先端部の場所と相関的なＸＹデータを含み得、第１のユーザインターフェースが続いて、ＸＹデータを使用してグリッド上に先端部を視覚表示し得る。
【００４７】
加えて、センサデータ１７４が通信され得る。たとえば、センサ１３０、１４０からのデータ、Ｘ線センサデータ、渦電流センサデータ、等が通信され得る。ある特定の実施形態では、センサデータ１７４は、オーバーレイデータ１６８と同期させられ得、たとえば、オーバーレイ先端部マップが、温度情報、圧力情報、流量情報、クリアランス、等とともに表示され得る。同様に、センサデータ１７４は、画像または映像データ１７０とともに表示され得る。
【００４８】
ある特定の実施形態では、力フィードバックまたは触覚フィードバックデータ１７６が通信され得る。力フィードバックデータ１７６は、たとえば、構造と接するかまたは接触するボアスコープ１４の先端部１３６に関連するデータ、先端部１３６または振動センサ１３０によって知覚された振動、流量、温度、クリアランス、圧力に関連する力、等を含み得る。モバイルデバイス２２は、たとえば、流体で満たされたマイクロチャネルを有する触感レイヤを含み得、マイクロチャネルは、力フィードバックデータ１７６に基づき、それに応答して、流体圧力を改め得、および／または、流体を向け直し得る。実際、本明細書に説明される技法は、センサデータ１７４および他のデータを触感力としてコンジット１６２において表すのに適したモバイルデバイス２２によって発動させられる応答を提供し得る。
【００４９】
ＮＤＴデバイス１２は加えて、位置データ１７８を通信し得る。たとえば、位置データ１７８は、機器１８、１０４および／または設備２０、１０６に関連するＮＤＴデバイス１２の場所を含み得る。たとえば、屋内ＧＰＳ、ＲＦＩＤ、三角測量（たとえば、ＷｉＦｉ三角測量、無線三角測量）のような技法が、デバイス１２の位置１７８を決定するために使用され得る。対象物データ１８０は、点検されている対象物に関するデータを含み得る。たとえば、対象物データ１８０は、識別情報（たとえば、シリアルナンバー）、機器の状態についての観察結果、注釈（テキストの注釈、声の注釈）、等を含み得る。メニュー駆動型点検データまたはメニュー指向点検データを含むがこれに限定されない他のタイプのデータ１８２が使用され得、メニュー駆動型点検データまたはメニュー指向点検データは、使用される際、テキストの注釈およびメタデータとして適用され得る、予め定義された「タグ」のセットを提供する。これらのタグは、点検を受けている対象物に関連する、場所情報（たとえば、第１の段のＨＰ圧縮機）またはインジケーション（たとえば、異物損傷）を含み得る。他のデータ１８２は加えて、遠隔ファイルシステムデータを含み得、遠隔ファイルシステムデータにおいて、モバイルデバイス２２は、ＮＤＴ点検デバイス１２のメモリ２５の中、またはセキュアデジタル（ＳＤ）カード、サムドライブ、ＵＳＢハードドライブ、等といった、ＮＤＴデバイス１２に結合されたもしくはＮＤＴデバイス１２の内部に配置された媒体の中にあるデータのファイルおよびファイル構造物（たとえば、フォルダ、サブフォルダ）を見ることができ、操作することができる。したがって、ファイルは、モバイルデバイス２２およびクラウド２４に転送され、編集されて、メモリ２５に再び転送され得る。データ１６４〜１８２をモバイルデバイス２２およびクラウド２４に通信することにより、本明細書に説明される技法は、より高速でより効率的な処理１５０を可能にし得る。データ１６４〜１８２をモバイルデバイス２２およびクラウド２４に通信することにより、本明細書に説明される技法は、より高速でより効率的な処理１５０を可能にし得る。実際、図７〜図１０に関し以下においてより詳細に説明されるように、複数のカテゴリのデータの転送が提供され得る。
【００５０】
ここで図７を参照すると、図は、モバイルデバイス２２、クラウド２４の内部のデバイス、および／またはクラウド２４に通信可能に接続されたデバイス（たとえば、コンピューティングシステム２９）に端を発し、たとえば、ＮＤＴ点検デバイス１２（たとえば、ボアスコープ１４、ＰＴＺカメラ１６、渦電流探傷検査デバイス９２、超音波欠陥検出器９４、デジタルラジオグラフィデバイス９６）へと向けられた、さまざまなデータカテゴリの流れの実施形態を示すデータ流れ図である。そのようなデータは、ＮＤＴデバイスを制御するのに適した制御データを含み得る。本明細書において説明される場合、ＮＤＴ点検デバイス１２の制御は、ボアスコープ１４の関節部１２２や、ＰＴＺカメラ１６をパン、チルト、およびズームするために使用される装置、といった位置決め装置の制御だけでなく、以下においてより詳細に説明されるように、ＮＤＴデバイス１２におけるファイルシステム、ＮＤＴデバイス１２に含まれる画面（単数または複数）、およびＮＤＴデバイス１２の動作または構成のために使用されるパラメータの設定の遠隔制御をも含む。
【００５１】
描かれている実施形態では、ワイヤレスコンジット２００が、ＮＤＴデバイス１２にデータ（たとえば、制御データ）を通信するために使用され得る。コンジット１６２と同様に、ワイヤレスコンジットは、ある特定の実施形態において、ＷｉＦｉ（たとえば、８０２．１１Ｘ）、セルラーコンジット（たとえば、ＨＳＰＡ、ＨＳＰＡ＋、ＬＴＥ、ＷｉＭａｘ）、ＮＦＣ、Ｂｌｕｅｔｏｏｔｈ（登録商標）、ＰＡＮ、等を含み得る。ワイヤレスコンジット２００は、ＴＣＰ／ＩＰ、ＵＤＰ、ＳＣＴＰ、ソケットレイヤ、等といったさまざまな通信プロトコルを使用し得る。ある特定の実施形態において、ワイヤレスコンジット２００は、ＳＳＬ、ＶＰＮレイヤ、暗号化レイヤ、チャレンジ鍵認証レイヤ、トークン認証レイヤ、等といったセキュアレイヤを含み得る。他の実施形態では、有線コンジットが、ワイヤレスコンジット１６２、２００の代替としてまたは代わりに使用され得る、ということに注意すべきである。
【００５２】
許可データ２０２が、たとえば、ＮＤＴデバイス１２へのセキュアなアクセスを可能にするために許可データ１６４とともに通信および使用され得る。ログイン／パスワードの組み合わせ、セキュアなＭＡＣアドレスのリストの維持、デバイス１２、２２、およびクラウド２４の２つ以上の間のチャレンジ応答認証、セキュアなＮＦＣ認証、サードパーティ認証サーバの使用（たとえば、証明書認証、鍵交換認証を使用することによる）、等を含むがこれに限定されない、さまざまなセキュアな認証技法が使用され得る。
【００５３】
ＮＤＴデバイス１２の構成要素を移動させるかまたはそうでなければ位置決めするのに有用な位置制御データ２０４が加えて通信され得る。実際、ＮＤＴデバイス１２のある特定の構成要素は、たとえば、仮想ジョイスティックを使用することにより、遠隔で物理的に移動させられ得る。ＮＤＴデバイス１２にローカルに（たとえば、ＷｉＦｉ、Ｂｌｕｅｔｏｏｔｈ（登録商標）で）および／またはクラウド２４を介して接続されたデバイスといった、任意の数のシステム（たとえば、モバイルデバイス２２、コンピューティングシステム２９、ウェブベースの仮想コントローラ）が、データ２０４を遠隔で通信するために使用され得、ＮＤＴデバイス１２の構成要素を遠隔で位置決めするために使用され得る。
【００５４】
有利に、さまざまな遠隔動作、トレーニング、および共同作業が可能にされ得る。たとえば、熟練したオペレータが新人のボアスコープオペレータをオンザジョブトレーニングし得る。新人のボアスコープオペレータがボアスコープ１４を把持して観察し得る一方で、熟練したオペレータが、モバイルデバイス２２を使用することによりボアスコープ１４を制御する。熟練したオペレータが続いて、先端部の制御技法を教え、どのタイプの観察結果が腐食に相関しているかを述べ、どのように注釈をつけるかを示し得る、といった具合である。他のケースでは、熟練したオペレータが、異なる地理的場所に位置し得、ＶＯＩＰ、ホワイトボード、等の使用により、新人のボアスコープオペレータと共同作業し得、および／または、新人のボアスコープオペレータをトレーニングし得るか、またはモバイルデバイス２２を使用して完全な点検を遠隔で行い得る。別のトレーニングの例では、新人のボアスコープオペレータが、モバイルデバイス２２および／またはボアスコープ１４を使用して、ウェブベースの場所のような遠隔の場所からトレーニングを受け得る。たとえば、モバイルデバイス２２の画面１３７は、１つのビュー領域がボアスコープ１４の画像または映像を示す一方で、第２のビュー領域はトレーニング映像を示し、第３の領域はワイヤレスで入手されたオンライン機器マニュアルを示すように、複数のビュー領域（たとえば、「スプリットスクリーン」）に分割され得る。実際、ボアスコープ１４は、外部ソース（たとえば、モバイルデバイス２２、クラウド２４、コンピューティングシステム２９）から、ターゲットを絞ったマルチメディア点検データを含むデータを受信し得る。
【００５５】
加えて、微細制御データ２０６が通信され得る。たとえば、ボアスコープの関節部１２２および／またはＰＴＺカメラ１６を移動させるのに適した「寸動」データは、位置制御データ２０４よりも小さなインクリメントである。より具体的には、微細制御データ２０６は、（約０．５ｍｍ、０．０５ｍｍ〜１ｃｍ、またはそれ以上）移動させるステップと、複数（たとえば、１つ、２つ、３つ、４つ、５つ、またはそれ以上）の移動させるステップを含み得る。したがって、点検を受けているある特定の特徴をより良好に観察するために、ＮＤＴデバイス１２の構成要素がより精密に配置され得る。位置制御データ２０４および微細制御データ２０６は、ＮＤＴデバイス１２に通信可能に接続された仮想コントローラまたは物理コントローラによって生成され得る。
【００５６】
画像、映像、テキスト、および／または音声データ２０８が加えて通信され得る。たとえば、モバイルデバイス２２、クラウド２４、および／またはクラウドに結合されたデバイス（たとえば、コンピューティングシステム２９）は、画像および／または映像だけでなく、さらに点検すべきある特定の特徴を、どのように点検を進めるべきかについての説明を詳述する音声とともに、ボアスコープオペレータに示すのに有用な、オーバーレイ注釈を送り得る。ある特定の実施形態において、データ２０８は、点検手順を詳述するのに有用なトレーニングデータであり得る。他の実施形態では、データ２０８は、ある特定の機器をより完璧に点検する仕方についての命令を詳述した、熟練者から送信されたデータを含み得る。さらなる別の実施形態では、データ２０８は、点検を指示することおよび／または点検にフォーカスすることに有用な図６からの受信データの自動解析後に、同受信データに基づいて、自動化されたエンティティ（たとえば、エキスパートシステム、ファジー論理システム、ニューラルネットワークシステム、ステートベクターマシン）によって送られる、データを含み得る。
【００５７】
構成データ２１０もまた通信され得る。たとえば、ＮＤＴデバイス１２に含まれるファイルシステムの更新、ＮＤＴデバイス１２の再プログラム、ＮＤＴデバイス１２の動作に有用なパラメータの設定、および／またはデバイス１２の電子構成要素の再構成（たとえば、フラッシュアップグレード）のために使用されるデータが、ＮＤＴ点検デバイス１２に遠隔で送られ得る。実際、プログラミングおよびパラメータの設定は、遠隔で行われ得るので、より容易にＮＤＴデバイスを最新の状態に維持し、デバイスの動作を改善する技法が提供される。異なるＮＤＴデバイス１２が異なるパラメータのセットを使用し得ることが理解されるべきである。限定ではなく例として、たとえば、ＮＤＴデバイス１２の動作中に使用され、ＮＤＴデバイス１２を遠隔制御するのに有用ないくつかのパラメータは、データの収集を開始し、データの収集を停止し、ファイルを保存し、ファイルに名前をつけるかまたは名前を変更し、利得を調節し、時間基準を調節し、渦電流探傷検査中にリフトオフ−ゼロイング信号を補償し、相回転を調節し、パーシステンスを調節し、プローブをバランシングし、ゲートを調節し（たとえば、振幅の調節、位置の調節）、カラーパレット−ソフト利得を調節し、信号の整流を変更し、パルサーフィルタを変更し、ズームインおよびズームアウトし、パルス幅を調節し、データフィルタ（たとえば、帯域幅）を調節し、パルス繰返し周波数を調節し、スイープアングルの開始／停止を調節し、スイープアングルのインクリメントを調節し、チャネルをオン／オフにし、データをフリーズさせ、データをクリア／消去し、スパンを調節し、フィルタを調節し、スポット位置を変更し、ディスプレイのタイプを変更し（たとえば、スポットディスプレイ、時間基準ディスプレイ、ウォーターフォールディスプレイ）、および／またはチャネルビューを変更するためのパラメータを含み得る。
【００５８】
一実施形態では、とりわけ、仮想ネットワークコンピューティング（ＶＮＣ）、リモートデスクトッププロトコル（ＲＤＰ）、デスクトップ共有、といったクライアント−サーバ技法が、構成データ２１０を送り、ＮＤＴデバイス１２の画面制御と相関するデータを受信するために使用され得る。同様に、遠隔ファイルシステム制御が、セキュアファイル転送プロトコル（ｆｔｐ）、ｆｔｐオーバーセキュアシェル（ＳＳＨ）、遠隔ファイル共有（ＲＦＳ）、および／または（たとえば、クラウド２４を使用してＮＤＴデバイス１２を通してファイルを記憶および検索する）分散ファイルシステム、といった技法を使用することにより提供され得る。ファイルが、追加され、名前を変更され、削除され、および／または更新され得る。同様に、ファイルフォルダおよび他のファイル記憶構造も同様に、名前を変更され、削除され、および／または更新され得る。
【００５９】
力フィードバックデータ２１２が加えて通信され得る。たとえば、モバイルデバイス２２のタッチスクリーンへのより力強い押下は、ボアスコープの関節部１２２をより迅速に移動させるのに有用なデータ２１２ということになり得る。同様に、触覚コントローラがコンピューティングデバイス２９に結合され、力フィードバックデータを提供し得る。加えられる力が大きければ大きいほど、ボアスコープ１４の関節部１２２のような構成要素の相関的な移動がより高速になる。力フィードバックデータ２１２が、他のデバイス、たとえば、物理ジョイスティック１３１、仮想ジョイスティック、クラウド２４または（たとえば、モバイルデバイス２２がＷＡＰ機能を提供している場合には）モバイルデバイス２２によって結合されたコントローラを含む、ＮＤＴデバイス１２にワイヤレスで結合された触覚コントローラにより提供され得ることに注意すべきである。他のデータ２１４は、ＮＤＴデバイス１２を動作させるのに有用な更新されたデジタルマニュアルまたはヘルプマニュアル、点検を受けている機器（たとえば、ターボ機械１８、航空機１０４）に関連するマニュアル、等を含み得る。したがって、ワイヤレスコンジット２００は、計測情報（カーソルのプレースメント、計測値、ステレオマッチング）を含むがこれに限定されないボアスコープ固有の情報、ＭＤＩ情報（現在のステージ、資産情報、参考資料）、現在のメニュー選択、先端部の温度／圧力、先端部の向き（先端部マップ、人工水平儀）、三次元位相計測（３ＤＰＭ）レンジインジケーション、テキスト注釈、等といったＮＤＴデバイス１２の情報を通信し、変更またはそうでなければ修正変更するために使用されるであろう。ソフトウェア制御アプリケーションが、以下においてより詳細に説明されるように、タッチスクリーンボタンまたはソフトキーラベルによってネイティブな図形をレンダリングし、適宜、ユーザ入力を受理し得る。固定機能または動的機能のいずれかを有するハード物理ボタンもまた、入力を受理するために使用され得る。ＮＤＴデバイス１２が第２のエンティティによって使用されるのと同時に、ＮＤＴデバイス１２が第１のエンティティ（または２つ以上の遠隔エンティティ）によって制御され得ることに注意すべきである。実際、本明細書に説明される制御の実施形態は、複数の遠隔パーティを含む複数のパーティにデバイスを同時に制御することを可能にさせる。図８は、たとえば、ＮＤＴデバイス１２、モバイルデバイス２２、コンピューティングシステム２９、資産所有者３０２、点検ソリューションプロバイダ／機器製造業者３０４、規制エンティティ３０６、他のエンティティ３０８、資産の相手先商標製造会社（ＯＥＭ）３１０、資産点検プロバイダ３１２、および／またはアプリケーション開発者３１４の間の共同実験室環境を提供するのに有用なＮＤＴエコシステム３００の実施形態を示す。ＮＤＴエコシステム３００またはＮＤＴエコシステム３００の一部は、メモリ３１６に記憶され、プロセッサ３１８によって実行される、実行可能なコンピュータ命令によって実現され得る。メモリ３１６およびプロセッサ３１８は、コンピューティングサーバ、仮想マシン、ロードバランシングされたコンピューティングデバイス、等を含むがこれに限定されない、クラウド２４の内部のシステムまたはクラウド２４に接続されたシステムに含まれ得る。
【００６０】
描かれている実施形態では、資産所有者３０２は、ターボ機械１８、航空機１０４、および／または設備２０、１０６のような機器および設備資産の所有者または賃借人を含み得る。点検ソリューションプロバイダ３０４は、点検１５４を含む処理１５０または処理１５０の構成要素を行うのに有用なソフトウェアおよびハードウェアを開発する（たとえば、ＮＤＴデバイス１２のような機器を製造する）会社またはエンティティを含み得る。規制エンティティ３０６は、処理１５０の全部または一部を規制する州の機関および連邦機関を含み得る。他のエンティティ３０８は、クラウドコンピューティングサービス２４を提供するエンティティ、たとえば、接続サービス（たとえば、有線および／またはワイヤレス接続）、バックエンドコンピューティングサービス（たとえば、クラウドベースのコンピュータ処理サービス、グリッドコンピューティングサービス、クラスタコンピューティングサービス、スーパーコンピューティングサービス、および／またはクラウドベースのストレージサービス）を提供するエンティティを含み得る。資産ＯＥＭ３１０は、上述された機器および設備資産の製造業者を含む。資産点検プロバイダ３１２は、たとえば、点検１５４において使用される人員および機器を提供するエンティティを含む。
【００６１】
アプリケーション開発者３１４は、コンピュータ実行可能なコンテンツ３２２（たとえば、モバイルアプリケーション、ウェブアプリケーション、デスクトップアプリケーション、デバイスドライバ、ファームウェア、構成ファイル、および構成関連のファイル）および／または非実行コンテンツ３２４（たとえば、機器のマニュアル、点検手順、トレーニング手順、規定文書、規定手順、音声、映像、テキスト、マルチメディア、インタラクティブなコンピュータシミュレーション、等）を含むデジタルコンテンツ３２０を書き得る、上述されたエンティティ３０２、３０４、３０６、３０８、３１０、３１２を含むがこれに限定されない任意のエンティティを含む。デジタルコンテンツは、ＮＤＴエコシステム３００に含まれるリポジトリ（たとえば、データベース）に記憶され、デバイス１２、２２、および／または２９により使用され、実行され、および／または表示され得る。加えて、またはあるいは、デジタルコンテンツ３２０は、クラウド２４（またはクラウド２４に結合されたシステム）の中に存在し得、ＮＤＴデバイス１２は、クラウド２４の中で（またはクラウド２４に結合されたシステムの中で）デジタルコンテンツ３２０を使用し得る。すなわち、デジタルコンテンツ３２０は、クラウド２４の中に存在し得、ＮＤＴデバイス１２は、クラウド２４を使用することによりコンテンツ３２０に接続し、コンテンツ３２０を実行し、表示し、またはそうでなければ使用し得る。アプリケーションは、ＮＤＴデバイス１２、モバイルデバイス２２、コンピューティングシステム２９によって実行可能な、クラウド２４において実行可能な、またはその組み合わせの、アプリケーションを含み得る。同様に、非実行コンテンツ３２４は、ＮＤＴデバイス１２、モバイルデバイス２２、およびコンピューティングシステム２９を使用することにより見ることが可能であり得る。したがって、ＮＤＴエコシステム３００を使用することによる共同作業は、ＮＤＴデジタルコンテンツ３２０についての着想の開始、ＮＤＴデジタルコンテンツ３２０の作成、分配、購入、管理、およびレベニューシェアを含み得る。
【００６２】
たとえば、点検ソリューションプロバイダ３０４は、デジタルコンテンツ３２０（たとえば、アプリケーション）と、デジタルコンテンツ３２０を支援するためのハードウェアソリューションとを作成し得る。アプリケーション（および他のデジタルコンテンツ３２０）は、以下においてより詳細に説明されるデジタルコンテンツビルダ３２５を使用することにより作成および検査され得る。これらのアプリケーションは続いて、計画１５２、点検１５４、解析１５６、報告１５８、および／または共有１６０を含む処理１５０を支援するために、ＮＤＴデバイス１２、モバイルデバイス２２、および／またはコンピューティングシステム２９で実行され得る。アプリケーションを含むデジタルコンテンツ３２０が、エンティティ３０２、３０４、３０６、３０８、３１０、３１２、および３１４のいずれか、サードパーティ、等により構築され、たとえば、デジタルコンテンツストア３２６を使用することにより分配され得る、ということに注意すべきである。デジタルコンテンツストア３２６は、パブリックストア３２８、プライベートストア３３０、および他のストア３３２を含み得る。パブリックストア３２８が、すべてのエンティティ３０２、３０４、３０６、３０８、３１０、３１２、および３１４によってアクセス可能なストアを含み得る一方で、プライベートストア３３０は、エンティティ３０２、３０４、３０６、３０８、３１０、３１２、および３１４のすべてのサブセットのうち、エンティティ３０２、３０４、３０６、３０８、３１０、３１２、および３１４の各々のサブセット（たとえば、ストア作成者により身元調査されたエンティティまたは他のもの）にのみ、アクセス可能なストアを含み得る。他のストア３３２は、ある特定のアイテムは公に販売される一方で、他のアイテムは身元調査された顧客にのみ販売される、ハイブリッドストア（たとえば、セミプライベートストア）を含み得る。たとえば、パブリックコンテンツはすべて販売され得、エンティティがアクセスを許可されるある特定のプライベートコンテンツもまた販売され得る。他のストア３３２は、加えて、またはあるいは、輸出規制品目のような政府制限品目を売買する政府許可を受けているエンティティの用命に応ずるストアを含み得る。さまざまな専門知識を有するエンティティによるさまざまなデジタルコンテンツ３２０の作成および分配を提供することにより、ＮＤＴエコシステム３００は、向上した共同作業とより効率的な処理１５０とを提供することができる。
【００６３】
引き続き図８によると、デジタルコンテンツ３２０は加えて、アプリケーションプログラミングインターフェース（ＡＰＩ）、データ解析サービスへのインターフェース、ハードウェアインターフェース（たとえば、ＮＤＴデバイス１２のハードウェアへのソフトウェアインターフェース）、等といったある特定のプラットフォームケイパビリティを含み得る。同様のプラットフォームケイパビリティは、あるいは、または加えて、他のシステム３３６により提供され得、データ記憶サービスおよびデータ解析サービスといったサービスを提供するために使用され得る。点検ソリューションプロバイダ３０４はまた、ソフトウェアを使用すること、またはある特定のハードウェア（たとえば、ＮＤＴデバイス１２の以前のモデルをレトロフィットさせるために使用されるＷＩＦＩモジュール）を使用することのいずれか、またはその組み合わせにより、たとえば、デバイス１２、２２、２９のプラットフォームケイパビリティをアップグレードするのに適した技法を提供し得る。たとえば、点検ソリューションプロバイダ３０４は、デバイス１２、２２、および２９における使用、実行、および／または表示に適したソフトウェアアプリケーションおよび他のコンテンツを作成し、コンテンツを、たとえば、デジタルストア３２６または他の分配チャネルに置き得る。ＮＤＴデバイス１２でのデジタルコンテンツの自動更新、ソフトウェアおよびハードウェア資産の管理、デジタルコンテンツ３２０のより効率的な購入およびレベニューシェア、およびユーザプロファイルを維持するための改善された技法を含む、他の技法が、ＮＤＴエコシステム３００のような本明細書において説明される技法を使用することにより、提供され得る。
【００６４】
アプリケーション／コンテンツ開発者３１４は、たとえば、デジタルコンテンツビルダソフトウェア３２５を使用して、ＮＤＴデバイス１２によって実行可能なまたは表示可能なアプリケーションおよび他のデジタルコンテンツ３２０（たとえば、ファームウェア、プラットフォームＡＰＩ、プラットフォーム支援ソフトウェア）を作成し得る。実際、アプリケーション開発者３１４の役割は、特定のＮＤＴ点検および／またはＮＤＴデバイス１２のためのＮＤＴアプリケーションを構築することを含み得る。ある特定の実施形態において、ＮＤＴアプリケーションは、デジタルコンテンツビルダ３２５を使用して開発され得る。デジタルコンテンツビルディングソフトウェア３２５は、実行可能なコンテンツ３２２および非実行コンテンツ３２４を作成するのに有用な、言語コンパイラ、インタープリタ、エミュレータ（たとえば、ＮＤＴデバイス１２のエミュレータ）、デバッギングフィーチャ、グラフィカルユーザインターフェース（ＧＵＩ）ビルダ、データベース接続ビルダ、等を含み得る。加えて、デジタルコンテンツビルディングソフトウェア３２５は、デジタルコンテンツ３２０の開発に有用な、「詰め込まれた」人間の専門家の知識と経験を含み得る、知識ベースシステム（たとえば、エキスパートシステム、エキスパート推論システム、ファジー論理システム、ヒューリスティック推論システム）を含む外部システム３２７との抱き合わせを含み得る。
【００６５】
アプリケーション、トレーニングマニュアル、ユーザマニュアル、および関連づけられた他の文書を含むデジタルコンテンツ３２０が開発されると、アプリケーション開発者は、デジタルストア３２６による分配のためにデジタルコンテンツをアップロードし得る。描かれている実施形態では、自動化された認証システム３２９が、デジタルコンテンツ３２０の信頼性をチェックし得、デジタルコンテンツ３２０が、たとえば、点検ソリューションプロバイダ３０４によってパブリッシュされたパブリッシングガイドラインに準拠していることを保証し得る。加えて、デジタルコンテンツ３２０は、たとえば、デジタル証明書の作成、サードパーティ認証局との対話、デジタルコンテンツ３２０の暗号化、およびより一般的には、ＮＤＴエコシステム３００へのセキュアなアクセスの提供、に適したセキュリティ／証明書システム３３１により処理され得る。
【００６６】
上述されているように、エンティティ３０２、３０４、３０６、３０８、３１０、３１２、および３１４のすべてが、デジタルコンテンツ３２０を作成し得る。たとえば、資産ＯＥＭ３１０または他のパーティが、ＮＤＴアプリケーションエコシステム３００を通じて、点検マニュアル、点検手順、トレーニングマニュアル、トレーニング手順、マルチメディアコンテンツ、インタラクティブコンピュータシミュレーション、映像、ソフトウェアアプリケーション、等をパブリッシュし得る。実際、すべてのエンティティ３０２、３０４、３０６、３０８、３１０、３１２、および３１４が、同様のデジタルコンテンツを作成し、パブリッシュし得る。したがって、資産所有者３０２および／または資産点検プロバイダ３１２が、資産ＯＥＭ３１０、点検ソリューションプロバイダ３０４、規制エンティティ３０６、および／または他のエンティティ３０８によって作成されたデジタルコンテンツ３２０を購入し、以下においてより詳細に説明されるように、更新コンテンツ３２０を「サブスクライブ」して更新コンテンツ３２０を受信し得る。資産点検プロバイダ３１２は、資産点検トレーニングコンテンツのようなデジタルコンテンツ３２０を作成し得るか、または、デジタルストア３２６を通じて点検サービスを販売し得る。同様に、アプリケーション開発者３１４は、処理１５０または処理１５０の一部を支援し、デバイス１２、２２、２９によって実行可能な、さまざまなソフトウェアアプリケーションを販売し得る。エンティティ３０２、３０４、３０６、３０８、３１０、３１２、および３１４によって作成されたすべてのデジタルコンテンツ３２０は、デジタルコンテンツ３２０のより効率的な更新、デプロイ、等を提供するために、およびデジタル著作権管理（ＤＲＭ）を含むコンテンツ３２０のライセンス供与の管理のために、たとえば、ライセンス供与／資産管理システム３３３を使用することにより管理され得る。他のシステム３３６は、クラウドベースのストレージシステム、スケーラブルな処理システム、データ解析システム、データベース、仮想マシン、ロードバランサ、等といった、クラウドコンピューティング２４を支援するのに有用なシステムを含み得る。
【００６７】
ＮＤＴデバイス１２のアクセサリ、ＮＤＴデバイス１２のためのハードウェアプラットフォームのアップグレード版、等といったハードウェアもまた、デジタルストア３２６を使用することにより購入され得る。ＮＤＴビジネスプラットフォームを提供することにより、ＮＤＴエコシステム３００は、エンティティ３０２、３０４、３０６、３０８、３１０、３１２、および３１４の間のレベニューシェアを可能にし得る。たとえば、アプリケーション開発者３１４、資産ＯＥＭ３１０、および点検ソリューションプロバイダ３０４が、レベニューシェアポリシーに入ることができる。ＮＤＴエコシステム３００に関連する貸し方、借り方、およびより一般的には会計情報、を管理するのに有用な会計管理システム３３４が加えて提供され得る。たとえば、エンティティ３０２、３０４、３０６、３０８、３１０、３１２、および３１４の各々、および他のユーザは、システム３３４により管理される、１つ以上のストア３２６のアカウントを保持し得る。各々のエンティティ３０２、３０４、３０６、３０８、３１０、３１２、および３１４、および他のユーザに関連する販売および購入が続いて、それに応じて貸し方に記入されるかまたは借り方に記入され得る。関連するように、ライセンス供与／資産管理システム３３３が、ＮＤＴデバイス１２やＮＤＴデバイス１２に関連づけられたデジタルコンテンツ３２０といった資産を管理するのに有用な、エンティティ３０２、３０４、３０６、３０８、３１０、３１２、および３１４のアカウントを保持し得る。たとえば、デジタルコンテンツ３２０が点検プロバイダ３１２によって購入されると、点検プロバイダ３１２は、ライセンス供与／資産管理システム３３３にログインして、以下においてより詳細に説明されるように、それらのアカウントにおいてリストされたソフトウェア資産（たとえば、デジタルコンテンツ３２０）および相関的なハードウェア資産（たとえば、点検される機器、ＮＤＴデバイス１２）を見たり、ソフトウェア資産とハードウェア資産との間のリンクを作成したり、リンクを更新したり、リンクを削除したりすることができる。したがって、ＮＤＴデバイス１２、モバイルデバイス２２、およびコンピューティングシステム２９は、デジタルコンテンツ３２０のランタイムライセンスを可能にするためにデジタルコンテンツ３２０とともにダウンロードされたライセンスを実施するために使用され得る、デジタル著作権管理（ＤＲＭ）構成要素を含み得る。
【００６８】
ＮＤＴデバイス１２を使用している点検１５４の開始中、ＮＤＴデバイス１２が続いてＮＤＴエコシステム３００に接続し得ると、すべての実行可能なコンテンツ３２２（たとえば、アプリケーション、構成ファイル、構成関連のファイル）が、対応する非実行コンテンツ３２４（たとえば、マニュアル、履歴点検結果、解析報告、トレーニングマルチメディア）とともに自動でダウンロードされ得、ダウンロードされたコンテンツを点検１５４中に使用するようにデバイス１２が構成され得る。たとえば、デバイス１２が特定の航空機１０４のテールナンバーを受信またはスキャンし得ると、航空機１０４のそのモデル、航空機１０４の構成要素（たとえば、エンジン、機体）、特定のテールナンバーの履歴ログ、テールナンバーについて行われた解析、整備ログ、動作ログ（たとえば、機器の動作および時間を記述する）、等に関連する全デジタルコンテンツ３２０がＮＤＴデバイス１２に自動でダウンロードされて、特定のテールナンバーの点検のためにＮＤＴデバイス１２が構成され得る。実際、シリアルナンバー、テールナンバー、等により識別される特定の機器を含む機器は、ＮＤＴデバイス１２によって実行されるように構成されかつ特定の機器の点検にターゲットを絞った点検アプリケーションソフトウェアを含む、デジタルコンテンツ３２０のカスタムパッケージをダウンロードするように使用され得る。したがって、より効率的でフォーカスされた点検が実現され得る。実際、ＮＤＴエコシステム３００を使用することにより、以下においてより詳細に説明されるように、たとえば、より効率的な購入、ライセンスの管理、ＮＤＴデバイス１２のデプロイ、およびメンテナンス／アップデートを可能にするのに適したさまざまな処理が提供されることができる。ＮＤＴエコシステム３００により提供される機能のすべては、ＮＤＴエコシステム３００のたった１つの構成要素の中、構成要素の１つ以上の中、またはＮＤＴエコシステム３００の構成要素の任意の組み合わせの中に含まれ得る、ということに注意すべきである。たとえば、ある特定の実施形態において、デジタルストア３２６は、ライセンス供与／資産管理システム３３３、認証システム３２９、セキュリティ／証明書システム３３１、会計管理システム３３４、それらの組み合わせ、またはシステムによって提供されるケイパビリティのいずれかを含み得る。
【００６９】
図９は、ＮＤＴエコシステム３００を使用することにより分配され得るデジタルコンテンツ３２０の実施形態を描く。描かれている実施形態において、ライセンス供与／資産管理システム３３３は、コンテンツ３２０の分配の少なくとも２つのカテゴリ、すなわち、デジタルコンテンツ３２０のコピーが許可されない「ノーコピー」カテゴリ３４０と、デジタルコンテンツのコピーが完全に許可される「フルコピー」カテゴリ３４２とをサポートし得る。同様に、ライセンス供与／資産管理システム３３３は、コンテンツ３２０の編集の少なくとも２つのカテゴリをサポートし得る。たとえば、非創作者によるコンテンツの一部の編集が実施される（または編集が実施されない）、「リミテッドエディット」カテゴリ３４４がサポートされ得る。「フルエディット」カテゴリ３４６は、非創作者によるコンテンツ３２０の完全な編集が許可される場合に使用され得る。したがって、デジタルコンテンツ３２０は、コピーは実施されずに制限つきの編集が実施される「サードパーティロックド」デジタルコンテンツ３４８と、コピーは完全に許可されるが編集は制限つきで許可される「インハウスロックド」デジタルコンテンツ３５０とを含み得る。同様に、編集は完全に許可されるがコピーは許可されない「サードパーティオープン」デジタルコンテンツ３５２と、完全な編集と完全なコピーが許可される「インハウスオープン」デジタルコンテンツ３５４が提供され得る。ＤＲＭおよび他の技法が、カテゴリ３４０、３４２、３４４、および３４６を実施するためにライセンス供与／資産管理システム３３３により使用され得る。コンテンツは、デジタルストア３２６を使用することにより、および／または、ＮＤＴエコシステム３００における他の分配チャネル（たとえば、ファイル転送プロトコル（ｆｔｐ）サーバ、ウェブサーバ、クラウドベースのストレージドライブ）により、分配され得る。コンテンツ３２０はまた、ＳＳＤ（ソリッドステートデバイス）、サムドライブ、ＮＤＴ器具とモバイルデバイス（またはラップトップ／ＰＣ）との間の有線コンジット、等といったメディアデバイスを使用して送信され得る。
【００７０】
したがって、顧客は、デジタルストア３２６および／または他の分配チャネルによって提供されたデジタルコンテンツ３２０を探し出すために、たとえば、フィルタリングされた検索、文脈検索、サーチアズユータイプ、ブール検索、等を使用して、オンラインデジタルコンテンツを検索し得る。所望のコンテンツ３２０が探し出されると、ユーザ（たとえば、エンティティ３０２、３０４、３０６、３０８、３１０、３１２、３１４、およびその他）は、会計管理システム３３４により管理されているアカウント情報とともにデジタルストア３２６を使用することにより、デジタルコンテンツの支払いをし得る。クレジットカード、デビットカード、購入注文、クーポン、銀行振込、オンライン決済（たとえば、ペイパル、ビットコイン）、等を含む複数の支払いオプションがサポートされ得る。時間ベースのライセンス（たとえば、年に一度期限切れになる年間ライセンス、無期限ライセンス、月間ライセンス、週間ライセンス）、シングルユースライセンスまたはパーユースライセンス（デジタルコンテンツ３２０の一度の使用後に期限切れになり、別の使用のために更新され得る）、データ駆動型ライセンス（たとえば、３０日間のトライアルライセンス）、数量ベースのライセンス（たとえば、料金が使用時間単位および／または使用データ量単位である携帯電話のプランと同様）、等を含む、複数のライセンスタイプが、ライセンス供与／資産管理システム３３３によってサポートされ得、ＤＲＭが実施され得る。２つ以上のユーザ、および／またはＮＤＴデバイス１２、モバイルデバイス２２、およびコンピューティングデバイス２９による使用に適した、同一のデジタルコンテンツ３２０の複数の会員権もまた、購入され得る。
【００７１】
顧客は続いて、点検手順のような購入されたコンテンツの一部を編集し得るか、または新たなコンテンツを作成し得るが、どちらも、図９に関し上述されたように、（たとえば、デジタルストア３２６を使用することによる）ＮＤＴエコシステム３００による分配のためである。ある特定のケースにおいて、顧客は、顧客によって身元調査されたユーザのみがデジタルコンテンツ３２０（およびハードウェアまたはサービス）を買うことができるプライベートストア３３０を作成し得る。他のケースでは、デジタルコンテンツ（およびハードウェアまたはサービス）が公に販売され得るパブリックストア３２８が、使用または作成され得る。他のストア３３２が、たとえば、輸出規制された商品およびサービスといった、制限された商品およびサービスを販売するために、使用され得る。
【００７２】
顧客の資産（たとえば、コンテンツ３２０のようなソフトウェア資産およびＮＤＴデバイス１２のような関連づけられたハードウェア）のためのアカウントが、ライセンス供与／資産管理システム３３３を使用することにより提供され得る。複数のデバイス１２、２２、および／または２９が、所与の単一のアカウントのために管理され得る。以下においてより詳細に説明されるように、デバイス１２、２２、および／または２９を、購入されたデジタルコンテンツ３２０と同期させるのに適した、ワンタッチ同期／デプロイが提供され得る。したがって、デバイス１２、２２、および／または２９は、地理的地域にわたり複数の言語で受け渡されるコンテンツを含むＮＤＴコンテンツ３２０を最新の状態に保持され得る。
【００７３】
ここで図１０を参照すると、図は、ＮＤＴストア３２６を使用することにより商品およびサービスを購入するのに適した処理４００の実施形態を示すフローチャートである。処理４００は、メモリ３１６に記憶され、プロセッサ３１８によって実行される、コンピュータ実行可能な命令を使用することにより実現され得る。描かれている実施形態において、ユーザ（たとえば、３０２、３０４、３０６、３０８、３１０、３１２、および／または３１４）は、ＮＤＴ商品およびサービス（たとえば、デジタルコンテンツ３２０）を検索し得（ブロック４０２）、検索に基づいて製品詳細ページ４０３に向けられ得る。検索（ブロック４０２）は、ＮＤＴデバイス１２、モバイルデバイス２２、コンピューティングシステム２９、またはそれらの組み合わせを使用することにより行われ得る。ユーザが続いて、オンラインカートに製品を追加し得る（ブロック４０６）。処理４００は続いて、ユーザがログインしているかどうかを決定し得る（判定４０８）。ユーザがログインしていない場合には、ユーザが続いてログインし得る（ブロック４１０）。ユーザが続いて、アカウントを作成し得る（ブロック４１２）。ユーザがログインすると、支払い方法が決定され得る（判定４１４）。支払い方法が購入注文４１６である場合、ユーザは続いて購入注文（ＰＯ）情報を入力し得（ブロック４１８）、処理４００は続いて領収書を示し得（ブロック４２０）、その後、デジタルストア３２６を使用することによるデジタルコンテンツ３２０のダウンロードを可能にし得（ブロック４２２）、アカウント情報を含むアプリケーションコンテンツ情報を「マイアプリ」システム（ブロック４２４）に追加し得る。ライセンス購入も同様に、「マイウォレット」システムに追加され得る。「マイアプリ」および「マイウォレット」といったシステムが、組み合わせられて単一のシステムにされ得ること、ＮＤＴエコシステム３００の任意の単一の構成要素（たとえば、デジタルストア３２６）または構成要素の組み合わせにより提供され得ることが理解されるべきである。
【００７４】
支払い方法がクーポン４２６を含むと決定された場合（判定４１４）、処理４００は続いて、購入承認を求め得る（ブロック４２８）。承認されると、領収書が示され得（ブロック４２０）、「マイアプリ」（ブロック４２４）へのダウンロード（ブロック４２２）および／または更新が提供され得る。支払い方法がクレジットカード４２９を含むと決定された場合（判定４１４）、処理４００は、クレジットカード４２９の情報が保存されているかどうかを決定し得る（判定４３０）。情報が保存されている場合、処理４００は続いて、住所、有効期限、等といった情報の確認を可能にし得（ブロック４３２）、続いて購入承認を求め得る（ブロック４３４）。カード情報が受理された場合（判定４３６）、領収書が示され得（ブロック４２０）、「マイアプリ」（ブロック４２４）へのダウンロード（ブロック４２２）および／または更新が提供され得る。カードが受理されない場合（判定４３６）、処理４００は、判定４１４に戻って反復し得、支払い方法を尋ね得る。
【００７５】
カード情報が保存されていない場合（判定４３０）、ユーザは、請求先住所、氏名、日付、セキュリティナンバー、等といったクレジットカード情報を入力し得る（ブロック４３８）。処理４００は続いて、購入承認を求め得る（ブロック４４０）。残高があることが決定された場合（判定４４２）、処理４００は、判定４１４を反復し得、支払い方法を尋ね得る。残高がない場合、処理４００は、領収書を示し得（ブロック４２０）、「マイアプリ」（ブロック４２４）へのダウンロード（ブロック４２２）および／または更新が提供され得る。したがって、さまざまな支払い方法が、オンラインストア３２６においてデジタルコンテンツ３２０を含む商品およびサービスを購入するために使用され得る。
【００７６】
図１１は、ライセンス供与／資産管理システム３３３を使用したライセンスの割り当ておよび／または解除に適した処理４５０の実施形態を示すフローチャートである。処理４５０は、メモリ３１６に記憶され、プロセッサ３１８によって実行される、コンピュータ実行可能な命令を使用することにより実現され得る。描かれている実施形態において、ユーザは、「マイウォレット」システム４５２にログインし得る。システム４５２は、購入されたライセンス、たとえば、ＮＤＴデバイス１２、モバイルデバイス２２、および／またはコンピューティングシステム２９においてある特定のデジタルコンテンツ３２０を使用するためのライセンスを含み得る。ユーザ（たとえば、３０２、３０４、３０６、３０８、３１０、３１２、および３１４）が、システム４５２を使用して、たとえば、所望のＮＤＴデバイス１２、モバイルデバイス２２、コンピューティングシステム２９、および／または一般的にはユーザに、ライセンスを割り当て得る（ブロック４５４）。しかしながら、ライセンスが利用可能でないと決定された場合（判定４５６）、処理４５０は、エラーメッセージを発行し得る（ブロック４５８）。ライセンスは利用可能であるが（判定４５６）、二重ライセンスがあると決定された場合（判定４６０）、処理４５０は、エラーメッセージを発行し得る（ブロック４５８）。
【００７７】
二重に存在しないと決定された場合（判定４６０）、処理４５０は、デバイス１２、２２、および／または２９のオブジェクトを更新し、ユーザライセンスのカウントをディクリメントし得る（ブロック４６２）。オブジェクトは、コンテンツ３２０を対応するデバイス１２、２２、および／または２９と同期させるために使用され得る、物理デバイス１２、２２、および／または２９の仮想表現またはオンライン表現であり得る。処理４５０は続いて、たとえば電子メールにより、ライセンスの割り振りの承認を発行し得る（ブロック４６４）。
【００７８】
物理デバイス１２、２２、および／または２９に割り振られているライセンスを解除するために（ブロック４６６）、処理４５０は、たとえば「マイウォレット」システム４５２によって保持されているデバイスリストから、たとえばユーザ入力により、デバイスを選択し得る（ブロック４６８）。処理４５０は続いて、更新（たとえば、ライセンスの解除）が、図１２においてより詳細に説明される次の同期で行われ得ることを、ユーザに通知し得る（ブロック４７０）。同期（ブロック４７３）が行われる一方で、遅延が存在し得る（ブロック４７２）。同期（ブロック４７３）の後、処理４５０は、物理デバイス１２、２２、および／または２９に関連づけられたオブジェクトを更新し、ライセンスカウントをインクリメントし得（ブロック４７４）、続いて、たとえば電子メールにより、ライセンスの解除の承認を発行し得る（ブロック４７６）。したがって、ライセンスは、デバイス１２、２２、および／または２９のいずれかに割り当てられるか、または割り当て解除され得る。ライセンスは、実行する権利、使用する権利、表示する権利、またはそれらの組み合わせを管理するために使用され得る。たとえば、実行する権利は、デバイス１２、２２、２９、またはクラウド２４においてコンテンツを実行する権利を含み得る。使用する権利は、著作権により提供される権利（たとえば、コンテンツ３２０をコピーし、コンテンツ３２０の派生作品を作成する権利）、コンテンツ３２０をパブリッシュし、コンテンツ３２０を販売し、コンテンツ３２０をホスティングするコンピューティングシステムにアクセスし、エンジニアコンテンツ３２０をリバースする権利、コンテンツ３２０のアクセス制御に基づいた権利（たとえば、ＤＲＭ権）、等を含み得る。ライセンス供与は、クラウド２４および／またはデバイス１２、２２、２９に記憶されたライセンスを含み得る。クラウド２４に記憶される場合、デバイス１２、２２、２９は、たとえば、任意のコンテンツ３２０を実行、使用、および／または表示する際の任意の制限について、クラウドベースのライセンスを照合し得る。
【００７９】
図１２は、デバイス１２、２２、および／または２９を、たとえば、購入され、ライセンス供与されたデジタルコンテンツ３２０と同期させるのに適した処理４８０の実施形態を描いたフローチャートである。処理４８０は、メモリ３１６に記憶され、プロセッサ３１８によって実行される、コンピュータ実行可能な命令を使用することにより実現され得る。描かれている実施形態において、ユーザは、デバイスメニュー４８２にインターフェース接続して、「同期」アクティビティを選択し得る（ブロック４８４）。同期アクティビティはまた、たとえば、デジタルコンテンツ３２０が変更されたことが導出されると、または、デジタルコンテンツ３２０の変更（たとえば、追加、更新、削除）の通知が受信されると、自動で実行され得る。同期（ブロック４８４）はまた、デバイス１２、２２、２９のいずれかが起動されると行われるか、または、繰り返し（たとえば、１時間、１日、１週間、１か月、１年に一度）行われるようにスケジューリングされ得る。管理者もしくは他の人間、またはソフトウェアエンティティがまた、たとえば、所望される場合、または、デジタルコンテンツの変更の通知が受信される（たとえば、電子メールが受信される）と、同期アクティビティ（ブロック４８４）を遠隔で開始し得る。加えて通知がデバイス１２、２２、２９に送られ得ると、デバイス１２、２２、２９が、たとえば、同期（ブロック４８４）を開始するためにアクティブ化するボタン、メニューアイテム、またはコントトールとともに、通知を表示し得る。処理４８０は続いて、デバイス１２、２２、および／または２９が、たとえば、以下において図１３に関しより詳細に説明されるデバイスデータベースの中に見つかるかどうかを決定し得る（ブロック４８６）。デバイスがデバイスデータベースにないと決定された場合（判定４８６）、処理４８０は、エラーメッセージを発行し（ブロック４８８）、終了し得る。デバイスがデバイスデータベースにあると決定された場合（判定４８６）、処理４８０は続いて、デバイス１２、２２、および／または２９に購入され、ライセンス供与されたコンテンツ３２０をダウンロードするのに十分なメモリスペースがデバイス１２、２２、および／または２９にあるかどうかを決定し得る（ブロック４９０）。コンテンツの同期のための決定要因（ブロック４９０）はまた、ＮＤＴ器具のファームウェア／ＯＳソフトウェア、および所望のデジタルコンテンツ３２０との互換性を含み得る。たとえば、ある特定のデジタルコンテンツ３２０およびそのコンテンツ内のフィーチャは、ＮＤＴ器具のある特定のハードウェア／ソフトウェアプラットフォームおよび／またはファームウェア／ＯＳソフトウェアのバージョンでのみ実行され得る。十分なスペースがないことまたはＮＤＴデバイス１２が所望のコンテンツ３２０と互換性がないことが決定された場合（判定４９０）、処理４８０は続いて、デジタルコンテンツ３２０のサブセット、たとえば、メモリに収まり得るおよび／またはＮＤＴデバイス１２と互換性がある実行可能なアプリケーション３２２の選択を可能にし得る（ブロック４９２）。
【００８０】
十分なスペースがあると決定された場合（判定４９０）、処理４８０は続いて、ファームウェアを含み得る選択されたコンテンツ３２０をデバイスのメモリにインクリメンタルに同期させ得る（ブロック４９４）。たとえば、メモリが、コンテンツ３２０を追加するためにインクリメンタルに「フラッシュ」され得る。コンテンツ３２０が追加されると、処理４８０は続いて、コンテンツ３２０の同期を示すステータスメッセージを表示し得る（ブロック４９６）。より効率的なＮＤＴベースの同期処理４８０を可能にすることにより、本明細書に説明される技法は、エンティティおよび地理にわたってより容易に分配されるさまざまなコンテンツ３２０を提供することができる。
【００８１】
ここで図１３を参照すると、図は、ＮＤＴデバイス１２、モバイルデバイス２２、および／またはコンピューティングシステム２９のようなデバイスをＮＤＴエコシステム３００に追加するのに適した処理５００の実施形態を示すフローチャートである。たとえば、ユーザ（たとえば、３０２、３０４、３０６、３０８、３１０、３１２、および３１４）が、ライセンス供与／資産管理システム３３３にログインし、「マイインストゥルメント」システム５０２を使用して、デバイスを追加し得る（ブロック５０４）。描かれている実施形態において、デバイスは、デバイス１２、２２、および／または２９自身でデバイスの割り当て（たとえば、ボタン、メニューアイテム）をアクティブ化することまたはクリックすること（ブロック５０６）により追加され得、デバイス１２、２２、および／または２９自身はまた、システム５０２と通信し得る。たとえばシステム５０２によって送られる、アクティブ化パスキーが、デバイス１２、２２、および／または２９、または別のデバイスのいずれかで受信され得る（ブロック５０８）。ユーザが続いて、シリアルナンバーおよびアクティブ化キーを画面（たとえば、マイイントゥルメント画面）に入力し得るか（ブロック５１０）、または、たとえば、ストア３２６によって保持されているデバイスリストに追加されるデバイスを識別するのに使用される他の識別情報を入力し得る。情報は、妥当性についてチェックされ得（判定５１２）、成功しなかった場合、処理５００は、エラーメッセージを発行し得る（ブロック５１４）。情報が妥当であると決定された場合（判定５１２）、処理５００は、デバイスを、たとえばユーザのアカウントにリンクさせられた、デバイスデータベースに追加し得、実行を完了し得る（ブロック５１６）。別の実施形態では、デバイス１２、２２、２９に埋め込まれたまたはデバイスに追加された情報が、デバイスを自動で認証するために使用され得る。したがって、処理５００は、エコシステム３００への参加のためにデバイス１２、２２、および／または２９をより効率的に作動させるかまたはそうでなければ追加し得る。
【００８２】
本発明の技術的効果は、資産所有者、点検ソリューションプロバイダ、規制エンティティ、資産ＯＥＭ、資産点検プロバイダ、およびアプリケーション開発者を含むがこれに限定されない、パーティ間の共同作業を増大させるのに有用なＮＤＴエコシステムを提供することを含む。
【００８３】
記載されたこの説明は、ベストモードを含む発明を開示し、また、任意のデバイスまたはシステムの製造および使用と組み込まれた任意の方法の実行とを含む発明の実現をいずれの当業者にも可能にさせるための、例を使用する。本発明の特許可能な範囲は、特許請求の範囲によって定義され、当業者が想到する他の例を含み得る。そのような他の例は、それらが特許請求の範囲の文字通りの言語と異ならない構造要素を有する場合、または、それらが特許請求の範囲の文字通りの言語との実質的な差を有しない均等な構造要素を含む場合、特許請求の範囲内であるように意図される。
【符号の説明】
【００８４】
１０  分散ＮＤＴシステム
１２  ＮＤＴ点検デバイス、ＮＤＴデバイス
１４  ボアスコープ
１５  プロセッサ
１６  可搬型のパンチルトズーム（ＰＴＺ）カメラ
１７  メモリ
１８  ターボ機械
１９  プロセッサ
２０  設備または現場
２１  メモリ
２２  モバイルデバイス
２３  プロセッサ
２４  クラウド、クラウドコンピューティング、クラウドコンピューティングサービス
２５  メモリ
２６  ボアスコープオペレータ
２８  モバイルデバイスオペレータ
２９  コンピューティングデバイス、コンピューティングシステム
３０  カメラオペレータ
３２  燃料ノズル
３４  圧縮機
３６  燃焼器
３８  吸気部、吸気口
４０  段
４２  段
４４  段
４６  静翼
４８  羽根
５０  回転ホイール
５２  シャフト
５４  タービン
５６  ディフューザ部、ディフューザ
６０  段
６２  段
６４  段
６６  羽根または動翼のセット
６８  ローターホイール
７０  ローターホイール
７２  ローターホイール
７４  シャフト
７６  ケーシング
８０  排出部、排気管
８４  石油ガス機器
８６  パイプまたはコンジット
８８  水中（または流体中）の場所
９０  カーブまたは湾曲部
９２  渦電流探傷検査デバイス
９３  プロセッサ
９４  超音波欠陥検出器
９５  メモリ
９６  デジタルラジオグラフィデバイス
９７  プロセッサ
９８  渦電流オペレータ
９９  メモリ
１００  超音波デバイスオペレータ
１０１  プロセッサ
１０２  ラジオグラフィオペレータ
１０３  メモリ
１０４  航空機システム、航空機
１０６  設備
１０８  パイプ
１１０  ひびまたは亀裂
１１２  鉄材料または非鉄材料
１１４  部品
１１６  構成要素
１１８  挿入管
１２０  ヘッドエンド部、ヘッドエンド
１２２  関節部
１２４  コンジット部
１２６  カメラ
１２８  ライト
１３０  センサ
１３１  物理ジョイスティック
１３３  ＸＹＺ軸
１３４  映像
１３５  画面
１３６  ステレオプローブ計測先端部、シャドープローブ計測先端部、交換先端部、プローブ先端部
１３７  画面
１３８  ライト
１４０  センサ
１４２  シャフト
１５０  処理
１５２  ブロック、計画
１５４  ブロック、点検
１５６  ブロック、解析
１５８  ブロック、報告
１５９  報告
１６０  ブロック、共有
１６２  ワイヤレスコンジット
１６４  許可データ
１６６  スクリーンスクレイピングデータ
１６８  データストリーム、オーバーレイ、オーバーレイストリーム、オーバーレイデータ
１７０  データストリーム、画像または映像、フレームまたは画像、画像または映像データ、画像データ
１７２  同期信号、同期データ
１７４  センサデータ
１７６  力フィードバックまたは触覚フィードバックデータ
１７８  位置データ
１８０  対象物データ
１８２  他のデータ
２００  ワイヤレスコンジット
２０２  許可データ
２０４  位置制御データ
２０６  微細制御データ
２０８  画像、映像、テキスト、および／または音声データ
２１０  構成データ
２１２  力フィードバックデータ
２１４  他のデータ
３００  ＮＤＴエコシステム、ＮＤＴアプリケーションエコシステム
３０２  資産所有者
３０４  点検ソリューションプロバイダ、機器製造業者
３０６  規制エンティティ
３０８  他のエンティティ
３１０  資産の相手先商標製造会社（ＯＥＭ）
３１２  資産点検プロバイダ
３１４  アプリケーション開発者、アプリケーション／コンテンツ開発者
３１６  メモリ
３１８  プロセッサ
３２０  デジタルコンテンツ、エンジニアコンテンツ、ＮＤＴコンテンツ、更新コンテンツ
３２２  コンピュータ実行可能なコンテンツ、実行可能なアプリケーション
３２４  非実行コンテンツ
３２５  デジタルコンテンツビルダ、デジタルコンテンツビルディングソフトウェア、デジタルコンテンツビルダソフトウェア
３２６  ストア
３２７  外部システム
３２８  パブリックストア
３２９  認証システム
３３０  プライベートストア
３３１  セキュリティ／証明書システム
３３２  他のストア
３３３  ライセンス供与／資産管理システム
３３４  会計管理システム
３３６  他のシステム
３４０  「ノーコピー」カテゴリ
３４２  「フルコピー」カテゴリ
３４４  「リミテッドエディット」カテゴリ
３４６  「フルエディット」カテゴリ
３４８  「サードパーティロックド」デジタルコンテンツ
３５０  「インハウスロックド」デジタルコンテンツ
３５２  「サードパーティオープン」デジタルコンテンツ
３５４  「インハウスオープン」デジタルコンテンツ
４００  処理
４０２  ブロック
４０３  製品詳細ページ
４０６  ブロック
４０８  判定
４１０  ブロック
４１２  ブロック
４１４  判定
４１６  購入注文
４１８  ブロック
４２０  ブロック
４２２  ブロック
４２４  ブロック
４２６  クーポン
４２８  ブロック
４２９  クレジットカード
４３０  判定
４３２  ブロック
４３４  ブロック
４３６  判定
４３８  ブロック
４４０  ブロック
４４２  判定
４５０  処理
４５２  マイウォレットシステム
４５４  ブロック
４５６  判定
４５８  ブロック
４６０  判定
４６２  ブロック
４６４  ブロック
４６６  ブロック
４６８  ブロック
４７０  ブロック
４７２  ブロック
４７３  ブロック
４７４  ブロック
４７６  ブロック
４８０  処理
４８２  デバイスメニュー
４８４  ブロック
４８６  判定、ブロック
４８８  ブロック
４９０  判定、ブロック
４９２  ブロック
４９４  ブロック
４９６  ブロック
５００  処理
５０２  「マイインストゥルメント」システム
５０４  ブロック
５０６  ブロック
５０８  ブロック
５１０  ブロック
５１２  判定
５１４  ブロック
５１６  ブロック
【図１】
0006446369.tif 000002
【図２】
0006446369.tif 000003
【図３】
0006446369.tif 000004
【図４】
0006446369.tif 000005
【図５】
0006446369.tif 000006
【図６】
0006446369.tif 000007
【図７】
0006446369.tif 000008
【図８】
0006446369.tif 000009
【図９】
0006446369.tif 000010
【図１０】
0006446369.tif 000011
【図１１】
0006446369.tif 000012
【図１２】
0006446369.tif 000013
【図１３】
0006446369.tif 000014